(57)【特許請求の範囲】
【請求項１】
登録サーバにおいて、第１のユーザ装置と少なくとも１つのアクセスポイントとの間の関連付けを作成するための方法であって、前記第１のユーザ装置と前記登録サーバとの間に通信を提供するための前記少なくとも１つのアクセスポイントを備える通信ネットワークが含まれる、方法であって、
前記登録サーバが、
−前記第１のユーザ装置によって提供される、前記アクセスポイントについての第１の関連付け番号を使用して実行される第１のコンタクトリクエストに応答するステップであって、前記第１の関連付け番号は前記アクセスポイントにおいて予め登録されており、前記アクセスポイントは、前記関連付けが完了するまで、前記第１の関連付け番号の使用に基づいて前記第１のユーザ装置と前記登録サーバとの間に前記通信を提供する、ステップと、
−前記第１のユーザ装置によって提供される、前記アクセスポイントとの関連付けに対する第１の関連付けリクエストを受信するステップと、
−前記第１のユーザ装置によって提供される第１の許可情報に基づいて前記第１の関連付けリクエストを許可するステップと、
−第１の許可が成功した場合、前記第１のユーザ装置と前記アクセスポイントとの間の関連付けを登録するステップとを実行することを含み、
それによって、前記第１のユーザ装置は前記アクセスポイントに関連付けられた関連の第１のユーザ装置となり、前記関連付けは前記登録サーバによって管理される
ことを特徴とする方法。
【請求項２】
前記登録サーバにおいて、前記関連の第１のユーザ装置によって支援される、第２のユーザ装置と少なくとも１つのアクセスポイントとの間の第２の関連付けを作成し、
前記方法は、前記登録サーバが、
−前記アクセスポイントについての第２の関連付け番号を使用して実行される第２のコンタクトリクエストに応答するステップであって、前記第２のコンタクトリクエストが前記関連の第１のユーザ装置によって提供され、前記第２の関連付け番号は前記アクセスポイントに予め登録されている、ステップと、
−前記関連の第１のユーザ装置によって提供される、前記第２のユーザ装置の識別情報を有する第２の関連付けリクエストを受信するステップと、
−前記関連の第１のユーザ装置または前記第２のユーザ装置によって提供される、前記第２のユーザ装置に関する第２の許可情報に基づいて前記第２の関連付けリクエストを許可するステップと、
−第２の許可が成功した場合、前記第２のユーザ装置と前記アクセスポイントとの間の前記第２の関連付けを登録するステップとを実行することを含み、
それによって、前記第２のユーザ装置は
前記アクセスポイントに関連付けられた関連の第２のユーザ装置となり、前記第２の関連付けは前記登録サーバによって管理される
ことを特徴とする請求項１に記載の方法。
【請求項３】
第１の許可が成功した場合、前記関連の第１のユーザ装置に第１の登録確認を使用して通知する
ことを特徴とする請求項１に記載の方法。
【請求項４】
登録サーバにおいて、第１のユーザ装置と少なくとも１つのアクセスポイントとの間に関連付けを作成する方法であって、
前記第１のユーザ装置が、
−前記アクセスポイントについての第１の関連付け番号を使用して実行される第１のコンタクトリクエストを使用して前記登録サーバにコンタクトするステップであって、前記第１の関連付け番号は前記アクセスポイントにおいて予め登録されており、前記アクセスポイントは、前記関連付けが完了するまで、前記第１の関連付け番号の使用に基づいて前記第１のユーザ装置と前記登録サーバとの間に前記通信を提供する、ステップと、
−前記アクセスポイントとの関連付けに対する第１の関連付けリクエストを、前記登録サーバに送信するステップと、
−前記登録サーバによる許可のための第１の許可情報を提供するステップと
を実行することを含み、
それによって、前記第１のユーザ装置は前記アクセスポイントに関連付けられた関連の第１のユーザ装置となり、前記関連付けは登録サーバによって管理される
ことを特徴とする方法。
【請求項５】
第１の許可が成功した場合、前記関連の第１のユーザ装置が、第１の登録確認を受信するステップを更に有する
ことを特徴とする請求項４に記載の方法。
【請求項６】
前記登録サーバにおいて、前記関連の第１のユーザ装置によって支援される、第２のユーザ装置と前記アクセスポイントとの間の第２の関連付けを作成し、
前記関連の第１のユーザ装置が、
−前記アクセスポイントについての第２の関連付け番号を使用して実行される第２のコンタクトリクエストを使用して前記登録サーバにコンタクトするステップであって、前記第２の関連付け番号は前記アクセスポイントに予め登録されている、ステップと、
−前記第２のユーザ装置の識別情報を使用して第２の関連付けリクエストを送信するステップと、
−前記第２のユーザ装置に関する第２の許可情報に基づいて前記第２の関連付けリクエストを提供するステップと
を実行することを有し、
それによって、前記第２のユーザ装置は前記アクセスポイントに関連付けられた関連の第２のユーザ装置となり、前記第２の関連付けは前記登録サーバによって管理される
ことを特徴とする請求項４または５に記載の方法。
【請求項７】
登録サーバにおいて、第１のユーザ装置と少なくとも１つのアクセスポイントとの間の関連付けを作成するための方法であって、
前記アクセスポイントが、
−前記アクセスポイントについての第１の関連付け番号を使用して実行される第１のコンタクトリクエストのために、前記第１のユーザ装置と前記登録サーバとの間に通信を提供するステップであって、前記関連付けが完了するまで、前記通信を、前記アクセスポイントに予め登録されている前記第１の関連付け番号に基づいて提供する、ステップと、
−前記アクセスポイントとの関連付けに対する第１の関連付けリクエストを前記第１のユーザ装置から前記登録サーバに転送するステップと、
−第１の許可情報を前記登録サーバに転送するステップと
を実行することを有し、
それによって、前記第１のユーザ装置は前記アクセスポイントに関連付けられた関連の第１のユーザ装置となり、前記関連付けは前記登録サーバによって管理される
ことを特徴とする方法。
【請求項８】
前記アクセスポイントは、
−前記アクセスポイントとの関連付けのために前記第１のユーザ装置から受信される、第１のコンタクトリクエストおよび第２のコンタクトリストの少なくとも一方ならびに第１の関連付けリクエストおよび第２の関連付けリクエストの少なくとも一方とが有効であるかどうかを検証するステップと、
−有効でない場合、前記アクセスポイントを用いて、前記第１の関連付けリクエストおよび前記第２の関連付けリクエストの少なくとも一方を拒否するステップと
を実行する
ことを特徴とする請求項７に記載の方法。
【請求項９】
登録サーバによって管理される、アクセスポイントとの関連付けのための、通信ネットワークに接続されるユーザ装置のためのコンピュータプログラムであって、前記ユーザ装置はユーザ装置メモリとユーザ装置プロセッサとを有し、当該コンピュータプログラムは、前記ユーザ装置上で実行される場合に、前記ユーザ装置に
−前記アクセスポイントについての第１の関連付け番号を使用して実行される第１のコンタクトリクエストを使用して前記登録サーバをコンタクトさせ、
−前記アクセスポイントとの関連付けに対する第１の関連付けリクエストを、前記登録サーバへ送信させ、
−前記登録サーバによる許可のための第１の許可情報を提供させる
ためのコード手段を備え、
前記第１の関連付け番号は前記アクセスポイントにおいて予め登録されていて、前記アクセスポイントは、前記関連付けが完了するまで、前記第１の関連付け番号の使用に基づいて、前記第１のユーザ装置と前記登録サーバとの間に前記通信を提供するものである
ことを特徴とするコンピュータプログラム。
【請求項１０】
通信ネットワークに接続される登録サーバのためのコンピュータプログラムであって、前記登録サーバはユーザ装置とアクセスポイントとの間の関連付けを管理し、前記登録サーバはさらに登録サーバデータベースとプロセッサユニットとを有し、当該コンピュータプログラムは、前記登録サーバ上で実行される場合に、前記登録サーバに
−前記第１のユーザ装置によって提供される、前記アクセスポイントについての第１の関連付け番号を使用して実行される第１のコンタクトリクエストに応答させ、
−前記第１のユーザ装置によって提供される、前記アクセスポイントとの関連付けに対する第１の関連付けリクエストを受信させ、
−前記第１のユーザ装置によって提供される第１の許可情報に基づいて前記第１の関連付けリクエストを許可させ、
−第１の許可が成功した場合、前記第１のユーザ装置と前記アクセスポイントとの間の関連付けを登録させる
ためのコード手段を備え、
前記第１の関連付け番号は、前記アクセスポイントにおいて予め登録されていて、前記アクセスポイントは、前記関連付けが完了するまで、前記第１の関連付け番号の使用に基づいて、前記第１のユーザ装置と前記登録サーバとの間に前記通信を提供する
ことを特徴とするコンピュータプログラム。
【請求項１１】
登録サーバによって管理される、ユーザ装置との関連付けのために、通信ネットワークに接続されるアクセスポイントのためのコンピュータプログラムであって、前記アクセスポイントはアクセスポイントメモリと処理ユニットとを有し、当該コンピュータプログラムは、前記アクセスポイント上で実行される場合に、前記アクセスポイントに、
−前記アクセスポイントについての第１の関連付け番号を使用して実行される第１のコンタクトリクエストのために、前記第１のユーザ装置と前記登録サーバとの間に通信を提供させ、
−前記アクセスポイントとの関連付けに対する第１の関連付けリクエストを前記第１のユーザ装置から前記登録サーバに転送させ、
−第１の許可情報を前記登録サーバに転送させる
ためのコード手段を備え、
前記関連付けが完了するまで、前記通信を、前記アクセスポイントに予め登録されている前記第１の関連付け番号に基づいて提供する
ことを特徴とするコンピュータプログラム。
【請求項１２】
通信ネットワークに接続される登録サーバであって、第１のユーザ装置とアクセスポイントとの間の関連付けを管理し、前記第１のユーザ装置と当該登録サーバとの間の通信を提供するための少なくとも１つの通信デバイスを備える通信ネットワークを含む、登録サーバであって、
−登録サーバデータベースと、
−プロセッサユニットと、
−前記第１のユーザ装置によって提供される、前記アクセスポイントについての第１の関連付け番号を使用して実行される第１のコンタクトリクエストに応答するためのコンタクト手段であって、前記第１の関連付け番号は前記アクセスポイントにおいて予め登録されており、前記アクセスポイントは、前記関連付けが完了するまで、前記第１の関連付け番号の使用に基づいて前記第１のユーザ装置と前記登録サーバとの間に前記通信を提供する、コンタクト手段と、
−前記第１のユーザ装置によって提供される、前記アクセスポイントとの関連付けに対する第１の関連付けリクエストを受信するための受信手段と、
−前記第１のユーザ装置によって提供される第１の許可情報に基づいて前記第１の関連付けリクエストを許可するための許可手段と、
−第１の許可が成功した場合、前記第１のユーザ装置と前記アクセスポイントとの間の関連付けを登録するための登録手段とを備え、
それによって、前記第１のユーザ装置は前記アクセスポイントに関連付けられた関連の第１のユーザ装置となり、前記関連付けは前記登録サーバによって管理される
ことを特徴とする登録サーバ。
【請求項１３】
前記登録サーバは、前記関連の第１のユーザ装置によって支援される第２のユーザ装置と前記アクセスポイントとの間の第２の関連付けを管理し、
前記登録サーバは、
−前記アクセスポイントについての第２の関連付け番号を使用して実行される第２のコンタクトリクエストに応答するための応答手段であって、前記第２のコンタクトリクエストが前記関連の第１のユーザ装置によって提供され、前記第２の関連付け番号が前記アクセスポイントにおいて予め登録されている、応答手段と、
−前記関連の第１のユーザ装置によって提供される、前記第２のユーザ装置の識別情報を有する第２の関連付けリクエストを受信することのできる受信手段と、
−前記関連の第１のユーザ装置または前記第２のユーザ装置によって提供される、前記第２のユーザ装置に関する第２の許可情報に基づいて、前記第２の関連付けリクエストを許可するように構成されている許可手段と、
−第２の許可が成功した場合、前記第２のユーザ装置と前記アクセスポイントとの間の第２の関連付けを登録できる登録手段とを備え、
それによって、前記第２のユーザ装置は前記アクセスポイントに関連付けられた関連の第２のユーザ装置となり、前記第２の関連付けは前記登録サーバによって管理される
ことを特徴とする請求項１２に記載の登録サーバ。
【請求項１４】
登録サーバによって管理される、アクセスポイントとの関連付けのための、通信ネットワークに接続されるユーザ装置であって、
−メモリと、
−プロセッサと、
−前記アクセスポイントについての第１の関連付け番号を使用して実行される第１のコンタクトリクエストを使用して前記登録サーバにコンタクトすることができるコンタクト手段であって、前記第１の関連付け番号は前記アクセスポイントにおいて予め登録されており、前記アクセスポイントは、前記関連付けが完了するまで、前記第１の関連付け番号の使用に基づいて前記第１のユーザ装置と前記登録サーバとの間に前記通信を提供する、コンタクト手段と、
−前記アクセスポイントとの関連付けに対する第１の関連付けリクエストを前記登録サーバに送信するための送信手段と、
−前記登録サーバによる許可についての第１の許可情報を提供するための提供手段と
を備え、
それによって、前記ユーザ装置は前記アクセスポイントに関連付けられた関連の第１のユーザ装置となり、前記関連付けは前記登録サーバによって管理される
ことを特徴とするユーザ装置。
【請求項１５】
登録サーバによって管理される、ユーザ装置を使用する関連付けのために、通信ネットワークに接続され、関連付け番号が予め登録されている、アクセスポイントであって、
−アクセスポイントメモリと、
−処理ユニットと、
−前記関連付けが完了するまで、前記ユーザ装置と前記登録サーバとの間に、前記アクセスポイントについての第１の関連付け番号を使用して実行される第１のコンタクトリクエストについての通信を提供するための第１の手段と、
−前記アクセスポイントとの関連付けに対する第１の関連付けリクエストを、前記ユーザ装置から前記登録サーバに転送するための第２の手段と、
−第１の許可情報を前記登録サーバに転送するための第３の手段と、
前記登録サーバによる許可が成功した場合、関連の第１のユーザ装置と関連付けるための関連付け手段と
を備えることを特徴とするアクセスポイント。
【発明の詳細な説明】
【技術分野】
【０００１】
本発明は、通信ネットワーク内での関連付けに関し、詳細には、ユーザ装置とアクセスポイントとの間のそのような関連付けを登録サーバ内で作成する方法と、コンピュータプログラム製品と、登録サーバと、ユーザ装置と、アクセスポイントとに関する。
【背景技術】
【０００２】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）のような通信ネットワークにおいては、ピコセルとして知られる小さな物理的セルが、例えば、建物、街角、航空機の客室の一部のような、小さな物理的エリアにサービスを提供することがある。ピコセルは一般に、マイクロセルより小さく、マイクロセルは同様に、マクロセルより小さい。ピコセルは通常、通信ネットワーク内のセルラー通信範囲を、屋外信号が十分には届かない屋内エリアへと拡大するために使用される。さらにピコセルは、例えば、電車の駅のようなユーザ装置（ＵＥ）の使用が密集したエリアに通信ネットワーク容量を追加する。もともとピコセルは、セルラー通信範囲のためにまたは通信ネットワークにおける容量拡大のために提供されているものであり、任意の固有のアクセス制御メカニズムも含んでいない。これは、公衆陸上移動通信ネットワーク（ＰＬＭＮ：ｐｕｂｌｉｃ  ｌａｎｄ  ｍｏｂｉｌｅ  ｎｅｔｗｏｒｋ）のマクロセルにアクセスすることが許されたすべてのユーザは、ＰＬＭＮのマイクロセルおよびピコセルにアクセスすることも許されることを意味する。
【０００３】
通信ネットワーク内でフェムトセルによって提供されるセルラー通信範囲は相対的に小さくて、場合によってはピコセルのセルラー通信範囲よりもさらに小さいことを示すためにフェムトセルが定義される。フェムトセルは、一部の限られたユーザ／加入者および彼らのＵＥのためのものであって、一般にサービスを提供の向上を実現する（例えば、通信範囲の改善、および／または電話料金の低下）ことによって、ユーザにとって好都合な形でＰＬＭＮにアクセスできるようにする。
【０００４】
国際公開第２００７／０１５０６７号では、セルラーワイヤレス通信ネットワーク用の基地局が、セルラーワイヤレス通信ネットワーク内でセルラーワイヤレス通信プロトコルを使用してリモートの通信デバイスとの接続を可能にする第１のインタフェースを有する。また、基地局は、ワイドエリアネットワーク経由の接続を可能にする第２のインタフェースと、ローカルエリアネットワーク経由の接続を可能にする第３のインタフェースとを有する。ソフトウェアによって、第１のインタフェースに接続されるリモートの通信デバイスと、セルラーワイヤレス通信ネットワークのコアネットワークとの間のワイドエリアネットワーク経由の通信が可能になる。
【０００５】
基地局は、例えば、無線インタフェースの暗号化、コアネットワークへのＶＰＮ接続などのようなセキュリティ機能を含んでもよい。また、この先行技術は、基地局をネットワークに対して認証／識別するために用いられうる、基地局内でのＵＳＩＭカードの使用を開示している。
【０００６】
しかしながら、これは、ローカル無線インタフェース側からの基地局（およびそのサービス）のローカルアクセス制御をまったく提供しない。先行技術は、基地局が位置する敷地の所有者のためにサービスを提供することを意図している。しかしながら、上述のように、この先行技術は、基本的にいかなるユーザに対しても、敷地の内部ではなく近所にいるユーザに対してでさえ、アクセスを提供するであろう。後述するように、これは非常に望ましくないことがある。
【０００７】
基地局に対する（例えば、ウェブに基づく）管理インタフェースを使用してパーソナルコンピュータから、例えば、ケーブル接続によって、基地局を構成しうる先行技術の装置が知られている。特定のＭＡＣアドレスだけがアクセスを認められるべきだということを、その構成設定に含めることができる。しかしながら、これは、基地局用の別個のデバイスおよびインタフェースを必要とするため、非常に不便な手順である。また、ユーザは、許可されたデバイスのＭＡＣアドレスを（何とかして）見つけなければならないが、このデータを各デバイスのレベルの低い「システムインタフェース」から検索するためには、知識とスキルとが必要である。また、長くて、本質的に不揃いな見かけのデバイス識別子を手動で（キーボードから）入力することは、典型的には非常に不便である。加えて、このタイプの静的な構成設定では、重大な緊急呼の際に基地局を使用することもできないであろう。また、同様に、例えば、（ワイヤレスＬＡＮアクセスポイントでは一般的な）ＷＥＰ、ＷＰＡ（２）のようなセキュリティ標準を使用するアクセス制御は、エンドユーザが管理するためにはあまりにもセキュアでなく、および／または面倒である。
【発明の概要】
【発明が解決しようとする課題】
【０００８】
本発明の目的は、ユーザ装置とフェムトセル用のアクセスポイントとの間の関連付けに基づいて新たなアクセス制御管理メカニズムを提供することまたは少なくともそれに貢献することである。
【課題を解決するための手段】
【０００９】
本発明は、登録サーバにおいて、第１のユーザ装置と少なくとも１つのアクセスポイントとの間の関連付けを作成するための方法に関する。この方法および装置は、さらに、第１のユーザ装置と登録サーバとの間に通信を提供するための少なくとも１つの通信デバイスを備える、通信ネットワークが含まれる。この方法に従えば、登録サーバは、
−第１のユーザ装置によって提供される、アクセスポイントについての第１の関連付け番号を使用して実行される第１のコンタクトリクエストに応答するステップと、
−第１のユーザ装置によって提供される、アクセスポイントとの関連付けに対する第１の関連付けリクエストを受信するステップと、
−第１のユーザ装置によって提供される第１の許可情報に基づいて第１の関連付けリクエストを許可するステップと、
−第１の許可が成功した場合、第１のユーザ装置とアクセスポイントとの間の関連付けを登録するステップとを行い、それによって、第１のユーザ装置は、アクセスポイントに関連付けられた関連の第１のユーザ装置となり、この場合、関連付けは登録サーバによって管理される。
【００１０】
一実施形態では、第１の許可が成功した場合、登録サーバが、関連の第１のユーザ装置に第１の登録確認を使用して通知する。
【００１１】
一実施形態では、登録サーバにおいて、関連の第１のユーザ装置によって支援される、第２のユーザ装置とアクセスポイントとの間の第２の関連付けを作成するためのプロビジョンが存在する。この方法は、登録サーバが、
−アクセスポイントについての第２の関連付け番号を使用して実行される第２のコンタクトリクエストに応答するステップであって、第２のコンタクトリクエストが関連の第１のユーザ装置によって提供される、ステップと、
−関連の第１のユーザ装置によって提供される、第２のユーザ装置の識別情報を有する第２の関連付けリクエストを受信するステップと、
−関連の第１のユーザ装置または第２のユーザ装置によって提供される第２のユーザ装置に関する第２の許可情報に基づいて第２の関連付けリクエストを許可するステップと、
−第２の許可が成功した場合、第２のユーザ装置とアクセスポイントとの間の第２の関連付けを登録するステップとを実行することを含んでもよく、それによって、第２のユーザ装置は、アクセスポイントに関連付けられた関連の第２のユーザ装置となり、この場合、第２の関連付けは、登録サーバによって管理される。
【００１２】
一実施形態では、第２の許可が成功した場合、登録サーバが、関連の第１のユーザ装置および関連の第２のユーザ装置の少なくとも一方に第２の登録確認を使用して通知する。
【００１３】
一実施形態では、第１の関連付けおよび第２の関連付けの少なくとも一方は、所定の期間について、または所定のサービス量について有効であってもよい。
【００１４】
一実施形態では、前記通信デバイスは、第１のユーザ装置および第２のユーザ装置の少なくとも一方と登録サーバとの間の通信を提供するためのアクセスポイントであってもよい。別の実施形態では、前記通信デバイスは、第１のユーザ装置および第２のユーザ装置の少なくとも一方と登録サーバとの間の通信を提供するためのマクロ無線基地局であってもよい。
【００１５】
一実施形態では、前記第１の許可情報および第２の許可情報の少なくとも一方は、外部マクロネットワークを介して登録サーバによって受信される第１のショートメッセージサービスおよび第２のショートメッセージサービスの少なくとも一方の形式であってもよい。
【００１６】
一実施形態では、第１の許可情報および第２の許可情報の少なくとも一方は、アクセスキー情報であってもよい。
【００１７】
一実施形態では、第１の関連付け番号および第２の関連付け番号の少なくとも一方は、少なくとも２つのアクセスポイントについて同一であってもよい。
【００１８】
一実施形態では、第１のユーザ装置および第２のユーザ装置の少なくとも一方は、第１の許可情報および第２の許可情報の少なくとも一方をアクセスポイントに固有のアクセスポイントアイデンティティと共に登録サーバに提供することを特徴とする、第１の関連付けおよび第２の関連付けの少なくとも一方が実行される。
【００１９】
一実施形態では、第１のユーザ装置とアクセスポイントとが、アクセスポイントゲートウェイを介して結合される形で登録サーバに接続される。登録サーバは、（ｉ）第１のユーザ装置からの許可情報に応答するステップと、（ｉｉ）アクセスポイントからのアクセスポイントアイデンティティに応答するステップとを実行して、
−アクセスポイントとの関連付けのために第１のユーザ装置から受信される第１のコンタクトリクエストおよび第１の関連付けリクエストが、登録サーバデータベースの中で有効であるかどうかを検証するステップと、
−有効でない場合、アクセスポイントとの第１の関連付けリクエストを拒否するステップと
を実行しても良い。
【００２０】
本発明の別の態様では、登録サーバにおいて、第１のユーザ装置と少なくとも１つのアクセスポイントとの間に関連付けを作成するためのプロビジョンが存在する。この方法は、第１のユーザ装置が、
−アクセスポイントについての第１の関連付け番号を使用して実行される第１のコンタクトリクエストを使用して登録サーバにコンタクトするステップと、
−アクセスポイントとの関連付けに対する第１の関連付けリクエストを、登録サーバに送信するステップと、
−登録サーバによる許可のための第１の許可情報を提供するステップを実行することを含んでもよく、それによって、第１のユーザ装置は、アクセスポイントに関連付けられた関連の第１のユーザ装置となり、この場合、関連付けは、登録サーバによって管理される。
【００２１】
一実施形態では、第１の許可が成功した場合、関連の第１のユーザ装置が、第１の登録確認を受信してもよい。
【００２２】
一実施形態では、登録サーバにおいて、関連の第１のユーザ装置によって支援される、第２のユーザ装置とアクセスポイントとの間の第２の関連付けを作成するためのプロビジョンが存在する。この方法は、関連の第１のユーザ装置が、
−アクセスポイントについての第２の関連付け番号を使用して実行される第２のコンタクトリクエストを使用して登録サーバにコンタクトするステップと、
−第２のユーザ装置の識別情報を使用して第２の関連付けリクエストを送信するステップと、
第２のユーザ装置に関する第２の許可情報に基づいて第２の関連付けリクエストを提供するステップとを実行することを含んでもよく、それによって、第２のユーザ装置は、アクセスポイントに関連付けられた関連の第２のユーザ装置となり、この場合、第２の関連付けは、登録サーバによって管理される。
【００２３】
一実施形態では、第２の許可が成功した場合、関連の第１のユーザ装置および第２のユーザ装置の少なくとも一方が、第２の登録確認を受信する。
【００２４】
一実施形態では、第２のユーザ装置がショートメッセージサービス−サービス機能からの第２の許可情報をコアネットワークから取得することができる。
【００２５】
一実施形態では、第１のユーザ装置が、第１の許可情報および第２の許可情報の少なくとも一方を第１のショートメッセージサービスおよび第２のショートメッセージサービスの少なくとも一方の形式で、外部マクロネットワークを介して登録サーバに送信することができる。
【００２６】
一実施形態では、第２のユーザ装置が、第２の許可情報を第２のショートメッセージサービスの形式で、外部マクロネットワークを介して登録サーバに送信することができる。
【００２７】
一実施形態では、第１の許可情報および第２の許可情報の少なくとも一方に含まれるアクセスキー情報は、秘密鍵から導出される。
【００２８】
一実施形態では、秘密鍵から導出される情報には、ＵＳＩＭ  ＡＫＡパラメータが含まれてもよい。
【００２９】
別の実施形態では、第１の許可情報および第２の許可情報の少なくとも一方に含まれるアクセスキー情報は、ワンタイムパスワードを含んでもよい。別の実施形態では、第１の許可情報および第２の許可情報の少なくとも一方に含まれるアクセスキー情報は、ＰＩＮコードである。
【００３０】
一実施形態では、第１の関連付けおよび第２の関連付けの少なくとも一方によって、関連の第１のユーザ装置および第２のユーザ装置の少なくとも一方が、少なくとも１つのアクセスポイントを介してＣＳ呼サービスにアクセスすることを可能にすることができる。別の実施形態では、第１の関連付けおよび第２の関連付けの少なくとも一方によって、関連の第１のユーザ装置および第２のユーザ装置の少なくとも一方が、少なくとも１つのアクセスポイントを介してＰＳドメインサービスにアクセスすることを可能にすることができる。
【００３１】
本発明の別の態様では、登録サーバにおいて、第１のユーザ装置と少なくとも１つのアクセスポイントとの間の関連付けを作成するためのプロビジョンが存在する。この方法は、さらに、アクセスポイントが、
−アクセスポイントについての第１の関連付け番号を使用して実行される第１のコンタクトリクエストのために、第１のユーザ装置と登録サーバとの間に通信を提供するステップと、
−アクセスポイントとの関連付けに対する第１の関連付けリクエストを第１のユーザ装置から登録サーバに転送するステップと、
−第１の許可情報を登録サーバに転送するステップとを実行することを含んでもよく、それによって、第１のユーザ装置は、アクセスポイントに関連付けられた関連の第１のユーザ装置となり、この関連付けは、登録サーバによって管理される。
【００３２】
一実施形態では、登録サーバによる許可が成功した場合、アクセスポイントが関連の第１のユーザ装置に関連付けられてもよい。
【００３３】
一実施形態では、アクセスポイントは、
−アクセスポイントとの関連付けのためにユーザ装置から受信されるコンタクトリクエストと関連付けリクエストとが有効であるかどうかを検証するステップと、
−有効でない場合、ユーザ装置の関連付けを拒否するステップと
を実行してもよい。
【００３４】
本発明の別の態様では、登録サーバによって管理される、アクセスポイントとの関連付けのための、通信ネットワークに接続されるユーザ装置のためのコンピュータプログラム製品が存在し、ユーザ装置はユーザ装置メモリとユーザ装置プロセッサとを有し、コンピュータプログラム製品は、コンピュータプログラムを備え、コンピュータプログラムは、ユーザ装置上で実行される場合に、ユーザ装置に、
−アクセスポイントについての第１の関連付け番号を使用して実行される第１のコンタクトリクエストを使用して登録サーバをコンタクトさせ、
−アクセスポイントとの関連付けに対する第１の関連付けリクエストを、登録サーバへ送信させ、
−登録サーバによる許可のための第１の許可情報を提供させる
ためのコード手段を備える。
【００３５】
本発明の別の態様では、通信ネットワークに接続される登録サーバのためのコンピュータプログラム製品が存在し、登録サーバはユーザ装置とアクセスポイントとの間の関連付けを管理し、登録サーバはさらに登録サーバデータベースとプロセッサユニットとを有し、コンピュータプログラム製品はコンピュータプログラムを備え、コンピュータプログラムはコード手段を備え、コード手段は、登録サーバ上で実行される場合には、登録サーバに
−第１のユーザ装置によって提供される、アクセスポイントについての第１の関連付け番号を使用して実行される第１のコンタクトリクエストに応答させ、
−第１のユーザ装置によって提供される、アクセスポイントとの関連付けに対する第１の関連付けリクエストを受信させ、
−第１のユーザ装置によって提供される第１の許可情報に基づいて第１の関連付けリクエストを許可させ、
−第１の許可が成功した場合、第１のユーザ装置とアクセスポイントとの間の関連付けを登録させる。
【００３６】
本発明の別の態様では、登録サーバによって管理される、ユーザ装置との関連付けのために、通信ネットワークに接続されるアクセスポイントのためのコンピュータプログラム製品が存在し、さらにアクセスポイントはアクセスポイントメモリと処理ユニットとを有し、コンピュータプログラム製品はコンピュータプログラムを備え、コンピュータプログラムはコード手段を備え、コード手段は、アクセスポイント上で実行される場合には、アクセスポイントに、
−アクセスポイントについての第１の関連付け番号を使用して実行される第１のコンタクトリクエストのために、第１のユーザ装置と登録サーバとの間に通信を提供させ、
−アクセスポイントとの関連付けに対する第１の関連付けリクエストを第１のユーザ装置から登録サーバに転送させ、
−第１の許可情報を登録サーバに転送させる。
【００３７】
本発明の別の態様では、登録サーバが通信ネットワークに接続され、登録サーバは、前記第１のユーザ装置と登録サーバとの間の関連付けを管理し、アクセスポイントは、第１のユーザ装置とアクセスポイントとの間に通信を提供するための少なくとも１つの通信デバイスを含む通信ネットワークを含み、登録サーバは、
−登録サーバデータベースと、
−プロセッサユニットと、
−第１のユーザ装置によって提供される、アクセスポイントについての第１の関連付け番号を使用して実行される第１のコンタクトリクエストに応答するためのコンタクト手段と、
−第１のユーザ装置によって提供される、アクセスポイントとの関連付けに対する第１の関連付けリクエストを受信するための受信手段と、
−第１のユーザ装置によって提供される第１の許可情報に基づいて第１の関連付けリクエストを許可するための許可手段と、
−第１の許可が成功した場合、第１のユーザ装置とアクセスポイントとの間の関連付けを登録するための登録手段とを含み、それによって、第１のユーザ装置は、アクセスポイントに関連付けられた関連の第１のユーザ装置となり、この場合、関連付けは、登録サーバによって管理される。
【００３８】
一実施形態では、登録サーバは、関連の第１のユーザ装置によって支援される第２のユーザ装置とアクセスポイントとの間の第２の関連付けを管理し、登録サーバは、
−アクセスポイントについての第２の関連付け番号を使用して実行される第２のコンタクトリクエストに応答するための応答手段であって、第２のコンタクトリクエストが関連の第１のユーザ装置によって提供される、応答手段と、
−関連の第１のユーザ装置によって提供される、第２のユーザ装置の識別情報を有する第２の関連付けリクエストを受信することのできる受信手段と、
−関連の第１のユーザ装置または第２のユーザ装置によって提供される、第２のユーザ装置に関する第２の許可情報に基づいて第２の関連付けリクエストを許可するように構成された許可手段と、
−第２の許可が成功した場合、第２のユーザ装置とアクセスポイントとの間の第２の関連付けを登録できる登録手段とを備え、それによって、第２のユーザ装置は、アクセスポイントに関連付けられた関連の第２のユーザ装置となり、この場合、第２の関連付けは、登録サーバによって管理される。
【００３９】
一実施形態では、前記通信デバイスは、第１のユーザ装置および第２のユーザ装置の少なくとも一方と登録サーバとの間の通信を提供するためのアクセスポイントである。
【００４０】
一実施形態では、前記通信デバイスは、第１のユーザ装置および第２のユーザ装置の少なくとも一方と登録サーバとの間の通信を提供するためのマクロ無線基地局である。
【００４１】
一実施形態では、前記第１の許可情報および第２の許可情報の少なくとも一方は、外部マクロネットワークを介して受信される第１のショートメッセージサービスおよび第２のショートメッセージサービスの少なくとも一方の形式である。
【００４２】
一実施形態では、第１の許可が成功した場合、関連の第１のユーザ装置に第１の登録確認を使用して通知するための通知手段を備える。
【００４３】
一実施形態では、通知手段は、第２の許可が成功した場合、関連の第１のユーザ装置および第２のユーザ装置の少なくとも一方に第２の登録確認を使用して通知するように構成されている。
【００４４】
一実施形態では、第１の許可情報および第２の許可情報の少なくとも一方は、アクセスキー情報を含んでいる。
【００４５】
一実施形態では、第１の許可情報および第２の許可情報の少なくとも一方に含まれるアクセスキー情報は、秘密鍵から導出される。
【００４６】
一実施形態では、秘密鍵から導出される情報は、ＵＳＩＭ  ＡＫＡパラメータに対応する。
【００４７】
一実施形態では、第１の許可情報および第２の許可情報の少なくとも一方に含まれるアクセスキー情報は、ワンタイムパスワードである。
【００４８】
一実施形態では、第１の許可情報および第２の許可情報の少なくとも一方に含まれるアクセスキー情報は、ＰＩＮコードである。
【００４９】
一実施形態では、第１の関連付け番号および第２の関連付け番号の少なくとも一方は、少なくとも２つのアクセスポイントについて同一である。
【００５０】
一実施形態では、前記第１の関連付けおよび第２の関連付けの少なくとも一方は、所定の時間期間について有効である。
【００５１】
一実施形態では、登録サーバは、第１の許可情報および第２の許可情報の少なくとも一方を外部マクロネットワークを介して受信するための手段を有する。
【００５２】
一実施形態では、前記第１の関連付けおよび第２の関連付けの少なくとも一方が実行される場合、第１のユーザ装置および第２のユーザ装置の少なくとも一方が第１の許可情報および第２の許可情報の少なくとも一方をアクセスポイントに固有のアクセスポイントアイデンティティと共に登録サーバに提供する。
【００５３】
一実施形態では、第１のユーザ装置とアクセスポイントとが、ＡＰゲートウェイを介して結合される形で登録サーバに接続され、登録サーバは、
−第１のユーザ装置からの第１の許可情報に応答するための第１の応答手段と、
−アクセスポイントからのアクセスポイントアイデンティティに応答するための第２の応答手段と
を備える。
【００５４】
一実施形態では、登録サーバは、
−アクセスポイントとの関連付けのためにユーザ装置から受信される第１のコンタクトリストおよび第２のコンタクトリクエストの少なくとも一方ならびに第１の関連付けリクエストおよび第２の関連付けリクエストの少なくとも一方が、登録サーバデータベースの中で有効であるかどうかを検証する手段と、
−有効でない場合、アクセスポイントとの第１の関連付けリクエストおよび第２の関連付けリクエストの少なくとも一方を拒否する手段と
を備える。
【００５５】
本発明の別の態様では、登録サーバによって管理される、アクセスポイントとの関連付けのための、通信ネットワークに接続されるユーザ装置が、
−メモリと、
−プロセッサと、
−アクセスポイントについての第１の関連付け番号を使用して実行される第１のコンタクトリクエストを使用して登録サーバにコンタクトすることができるコンタクト手段と、
−アクセスポイントとの関連付けに対する第１の関連付けリクエストを登録サーバに送信するための送信手段と、
−登録サーバによる許可についての第１の許可情報を提供するための提供手段と
を備え、
それによって、第１のユーザ装置は、アクセスポイントに関連付けられた関連の第１のユーザ装置となり、この場合、関連付けは、登録サーバによって管理される。
【００５６】
一実施形態では、関連の第１のユーザ装置は、第１の許可が成功した場合、第１の登録確認を受信するための確認手段を有する。
【００５７】
一実施形態では、ユーザ装置は、関連の第１のユーザ装置によって支援される、第２のユーザ装置とアクセスポイントとの間の第２の関連付けを作成し、関連の第１のユーザ装置は、
−コンタクト手段が、アクセスポイントについての第２の関連付け番号を使用して実行される第２のコンタクトリクエストを使用して登録サーバにコンタクトすることができ、
−送信手段が、第２のユーザ装置の識別情報を有する第２の関連付けリクエストを送信することができ、
−提供手段が、第２のユーザ装置に関する第２の許可情報に基づいて第２の関連付けリクエストを提供することができることを含み、それによって、第２のユーザ装置は、アクセスポイントに関連付けられた関連の第２のユーザ装置となり、この場合、第２の関連付けは、登録サーバによって管理される。
【００５８】
一実施形態では、関連の第１のユーザ装置および第２のユーザ装置の少なくとも一方が、第２の許可が成功した場合に第２の登録確認を受信するための確認手段を有する。
【００５９】
一実施形態では、第２のユーザ装置は、ショートメッセージサービス−サービス機能からの第２の許可情報をコアネットワークから取得できる。
【００６０】
一実施形態では、第１のユーザ装置は、第１の許可情報および第２の許可情報の少なくとも一方を第１のショートメッセージサービスおよび第２のショートメッセージサービスの少なくとも一方の形式で、外部マクロネットワークを介して登録サーバに送信することができる。
【００６１】
一実施形態では、第２のユーザ装置は、第２の許可情報を第２のショートメッセージサービスの形式で、外部マクロネットワークを介して登録サーバに送信することができる。
【００６２】
一実施形態では、第１の許可情報および第２の許可情報の少なくとも一方は、アクセスキー情報を含んでいる。
【００６３】
一実施形態では、第１の許可情報および第２の許可情報の少なくとも一方に含まれるアクセスキー情報は、秘密鍵から導出される。
【００６４】
一実施形態では、秘密鍵から導出される情報は、ＵＳＩＭ  ＡＫＡパラメータに対応する。
【００６５】
一実施形態では、第１の許可情報および第２の許可情報の少なくとも一方に含まれるアクセスキー情報は、ワンタイムパスワードである。
【００６６】
一実施形態では、第１の許可情報および第２の許可情報の少なくとも一方に含まれるアクセスキー情報は、ＰＩＮコードである。
【００６７】
一実施形態では、前記第１の関連付けおよび第２の関連付けの少なくとも一方によって、関連の第１のユーザ装置および第２のユーザ装置の少なくとも一方がＣＳ呼サービスにアクセスすることが可能になる。
【００６８】
一実施形態では、前記第１の関連付けおよび第２の関連付けの少なくとも一方によって、関連の第１のユーザ装置および第２のユーザ装置の少なくとも一方がＰＳドメインサービスにアクセスすることが可能になる。
【００６９】
本発明の別の態様では、登録サーバによって管理される、ユーザ装置を使用する関連付けのために、アクセスポイントが通信ネットワークに接続し、アクセスポイントは、
−アクセスポイントメモリと、
−処理ユニットと、
−第１のユーザ装置と登録サーバとの間に、アクセスポイントについての第１の関連付け番号を使用して実行される第１のコンタクトリクエストについての通信を提供するための第１の手段と、
−アクセスポイントとの関連付けに対する第１の関連付けリクエストを、第１のユーザ装置から登録サーバに転送するための第２の手段と、
−第１の許可情報を登録サーバに転送するための第３の手段と
を含んでいる。
【００７０】
一実施形態では、登録サーバによる許可が成功した場合、関連の第１のユーザ装置と関連付けるための関連付け手段を備える。
【００７１】
一実施形態では、アクセスポイントは、
−ユーザ装置から受信される、アクセスポイントとの関連付けに対する第１のコンタクトリストおよび第２のコンタクトリクエストの少なくとも一方ならびに第１の関連付けリクエストおよび第２の関連付けリクエストの少なくとも一方が有効であるか否かを検証することができる検証手段と、
−有効でない場合、アクセスポイントとの第１の関連付けリクエストおよび第２の関連付けリクエストの少なくとも一方を拒否するように構成された拒否手段と
を備える。
【００７２】
本発明のより完全な理解が、図面と一緒に詳細記述から導かれる。
【図面の簡単な説明】
【００７３】
【図１】ユーザ装置（ＵＥ）とアクセスポイント（ＡＰ）との間の関連付けの作成を導く方法についてのシステムの概要を示す図である。
【図２】ＵＥと通信ネットワークとの間の、すなわち、ＵＥと無線アクセスネットワーク（ＲＡＮ）とコアネットワークとの間の、無線およびコアネットワーク接続手順の組み合わせについての信号のフローを示すシグナリング図である。
【図３ａ】第１のＵＥとＡＰとの間の関連付けの作成を導く方法についての信号のフローを示すシグナリング図である。
【図３ｂ】第２のＵＥとＡＰとの間の第２の関連付けの作成を導く方法についての信号のフローを示すシグナリング図である。
【図４】登録サーバ（ＲＳ）によって実行される、第１のＵＥとＡＰとの間の関連付けの作成についてのフロー図である。
【図４ａ】ＲＳによって実行される、関連の第１のＵＥによって支援される、第２のＵＥとＡＰとの間の第２の関連付けの作成についてのフロー図である。
【図４ｂ】ＲＳによって実行される、ＡＰゲートウェイ（ＡＰ−ＧＷ）およびコアネットワーク（ＣＮ）を介して接続する場合の、第１のＵＥとＡＰとの間の関連付けの作成についてのフロー図である。
【図５】第１のＵＥによって支援される、第１のＵＥとＡＰとの間の関連付けの作成についてのフロー図である。
【図５ａ】関連の第１のＵＥによって支援される、第２のＵＥとＡＰとの間の第２の関連付けの作成についてのフロー図である。
【図６】ＡＰによって支援される、第１のＵＥとＡＰとの間の関連付けの作成についてのフロー図である。
【図７】ＵＥの一実施形態を非常に概略的に示す図である。
【図８】ＲＳの一実施形態を非常に概略的に示す図である。
【図９】ＡＰの一実施形態を非常に概略的に示す図である。
【発明を実施するための形態】
【００７４】
詳細な説明では、ＲＳ２１において、ＵＥ１５と少なくとも１つのＡＰ１１との間の関連付けを作成するための方法と装置とを提示する。この少なくとも１つのＡＰ１１は、通信ネットワークにおけるセルラー通信範囲に対してフェムトセル１２を作成する。これによってＲＳ２１において作成される関連付けは、後の段階でＡＰ１１に関してＵＥ１５によって実行される多様なタイプのリクエストの許可／アクセス制御を実施する基礎を成すことが意図されていることが理解されるべきである。例えば、ＵＥ１５によって実行されるリクエストは、ＡＰ１１を介してネットワークサービスに対するリクエスト、例えば、ＣＳまたはＰＳ接続に対するリクエストであってもよい。もう１つの例は、ＵＥ１５によって実行されるリクエストが、ＡＰ１１と他のＵＥ１５との間の別の関連付けを作成するためのリクエストであることである。また、作成された関連付けを、他のタイプのリクエストに関する許可／アクセス制御の目的で使用することもできる。すなわち、ＵＥ１５によって実行されるリクエストは一般に、アクセス制御の実施が必要な、ＡＰ１１に関する通信および／または管理のリクエストに関してもよい。
【００７５】
従って本発明は、ＡＰ１１によって提供される小さな地理的エリアにおいてセルラー通信範囲を持つフェムトセル１２とＵＥ１５との間の関連付けに基づく新たなアクセス制御管理メカニズム（ａｃｃｅｓｓ  ｃｏｎｔｒｏｌ  ｍａｎａｇｅｍｅｎｔ  ｍｅｃｈａｎｉｓｍ：ＡＣＭＭ）を提供する。例えば、（上記のように）、ＡＰ１１との関連付けが作成されているＵＥ１５だけが、フェムトセル１２の中で提供される通信サービスへのアクセスが認められる。
【００７６】
本明細書では、各ＡＰ１１が１つのフェムトセル１２を提供する場合を使用する。しかしながら、上記の原則は、ＡＰ１１が複数のフェムトセル１２ａ−ｎを提供してサービスを提供する場合にも有効である。この場合では、関連付けは、特定のフェムトセル１２からの特定のＡＰ１１とＵＥ１５との間に作成されるだろうが、複数のフェムトセル１２ａ−ｎ、すなわち、一般にＡＰ１１によってサービスを提供されるすべてのフェムトセルについても有効であろう。
【００７７】
ＵＥ１５は、通信ネットワーク内で機能するトランシーバ能力を有する任意のデバイスであってもよい。ＡＣＭＭ機能性は、一般に、関連付けを作成することと、それを利用してアクセス制御を実行することの両方を含んでいる。しかしながら、上述のように、本発明の範囲は、関連付けの作成に関するものであって、後の実行の基礎を成すものである。従って、本発明の範囲内でＡＣＭＭがＵＥ１５とＡＰ１１との間で無事完了している場合に関連付けは有効に実施されていると定義され、それらの機能および構成については、後の記述の中でより詳細に記述しよう。しかしながら、関連付けは無期限に有効でなくてもよく、これについても後述する。
【００７８】
ＡＰ１１は、ＵＥ１５へ／からの通信の無線送信／受信のための手段と、さらに、通信ネットワークとの光学的、有線または無線通信のための手段を有する。ＡＰ１１は、ＵＥ１５と通信ネットワークとの間の通信を、それぞれのリンク上で使用される物理的および媒体アクセス制御プロトコルに従って変換する機能性を有する。ＡＰ１１は、フェムト無線基地局であってもよい。ＡＰ１１は、ワイヤレスアクセスポイントであってもよい。ＡＰ１１のさらなる態様については、すなわち図９および関連記述と併せて後述する。
【００７９】
本明細書ではＷＣＤＭＡ（広帯域符号分割多元接続）ネットワークにおける一実施形態に関して記述するが、本発明は、他のタイプの通信ネットワーク、例えば、移動通信用グローバルシステム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）および高度パケットシステム（ＥＰＳ：Ｅｖｏｌｖｅｄ  Ｐａｃｋｅｔ  Ｓｙｓｔｅｍ）ネットワークにも適用されうる。本発明は一般に、ＡＰ１１がＵＥ１５ａ−ｎの制限された集合に関連付けられることになる、いかなる場合にも適用可能であり、すなわち、ＵＥ１５の制限された集合だけが、ＡＰ１１を通じてネットワークアクセスサービスを与えられるべきである。そのようなＡＰ１１の例には、例えば、ＩＥＥＥ８０２．１１、８０２．１６、８０２．２０等に従って動作するものが含まれるが、それらに制限されない。本発明の一部の実施形態では、マクロセル１４／マクロネットワークの両方が、フェムトセル１２／ＡＰ１１との関連付けを作成することに関与する。これらの用語はすでにＧＳＭやＷＣＤＭＡのようなセルラー規格の場合に定義／例示されているが、一部のワイヤレス技術においてはマクロセル１４とフェムトセル１２との区別が存在しないことがあるということに留意すべきである。しかしながら、それらの場合において本発明を実施するため、マクロセルに関わる実施形態を使用することは依然として可能である。その場合、マクロセル１４は、単純に別のアクセス技術によって提供されてもよいだろう。例えば、本発明の一実施形態では、８０２．１１  ＷＬＡＮ  ＡＰとの関連付けは、ＧＳＭ／ＷＣＤＭＡマクロセル経由で実行される通信を含んでもよい。例えば、ＵＥ１５は、この場合、ＩＥＥＥ  ８０１．１１とＧＳＭ／ＷＣＤＭＡとをいずれもサポートするデュアル無線ＵＥであってもよい。同じ方法で、たとえ記述が、制限された通信範囲を有するフェムトセル１２に基づいているとしても、所与の記述と原則と方法とが、ＡＣＭＭ機能性から恩恵を受ける任意のタイプのセルにも適用される。同じように本発明は、ＩＥＥＥ  ８０２．３、ｘＤＳＬ等のような非ワイヤレスのアクセスにも適用され、この場合、「アクセスポイント」は、宅内装置（ＣＰＥ）に対応するであろう。当業者には明らかであるように、例えば、国際移動体加入者アイデンティティ（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、国際移動機器アイデンティティ（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）、ネットワークアクセス識別子（ＮＡＩ：Ｎｅｔｗｏｒｋ  Ａｃｃｅｓｓ  Ｉｄｅｎｔｉｆｉｅｒ）、イーサネット（登録商標）インタフェースＩＤ、例えば、４８ビットＩＥＥＥ（８０２．３）ＭＡＣアドレス、８０２．１１  ＳＴＡ  ＩＤ（クライアント局  ＩＤ）／ＳＳＩＤ（サービスセット識別子：ｓｅｒｖｉｃｅ  ｓｅｔ  ｉｄｅｎｔｉｆｉｅｒ）、８０２．１６  ＢＳＩＤ（基地局識別子：ｂａｓｅ  ｓｔａｔｉｏｎ  ｉｄｅｎｔｉｆｉｅｒ）／ＭＳＩＤ（移動局識別子：ｍｏｂｉｌｅ  ｓｔａｔｉｏｎ  ｉｄｅｎｔｉｆｉｅｒ）、セルＩＤ、ＣＤＭＡ２０００  ＡＴＩ（アクセス端末識別子：Ａｃ��ｅｓｓ  Ｔｅｒｍｉｎａｌ  Ｉｄｅｎｔｉｆｉｅｒ）のような、一意の識別子を有するＵＥ１５およびＡＰ１１が、任意のシナリオにおいても、また、電話場号、ＩＰ（インターネットプロトコル：Ｉｎｔｅｒｎｅｔ  Ｐｒｏｔｏｃｏｌ）アドレスまたはイーサネット（登録商標）アドレス、ＵＲＬ（ユニフォームリソースロケータ：Ｕｎｉｆｏｒｍ  Ｒｅｓｏｕｒｃｅ  Ｌｏｃａｔｏｒ）、ＮＡＩ等であってもよい関連付け番号（ａｓｓｏｃｉａｔｉｏｎ  ｎｕｍｂｅｒ：ＡＮ）を利用してＲＳ２１にＵＥ１５から到達可能ないずれのシナリオにおいても、本発明を実施することができる。
【００８０】
図１は、本発明の一実施形態に従う装置１０を示している。マクロセル１４とフェムトセル１２との両方を備えるＷＣＤＭＡネットワークについての無線アクセスネットワーク（ＲＡＮ）において、複数のＡＰ１１ａ−ｎが、本明細書ではフェムトセルと呼ぶ小さな地理的通信範囲１２ａ−１２ｎにサービスを提供する。フェムトセル１２では、通信ネットワークにおける既存のタイプのセルに一般に関連付けられるマイクロセルまたはピコセルまたはマクロセル１４と比べて、セルラー通信範囲が相対的に小さい。マクロＲＢＳ１３が同様に大きなマクロセルエリア１４にサービスを提供し、これは、この例では、複数のフェムトセルと同じエリアをカバーする。
【００８１】
ＡＰ１１ａ−ｎはそれぞれ、ＵＥ１５ａ−ｎについてＷＣＤＭＡ通信範囲を提供して、また、ＡＰゲートウェイ（ＡＰ−ＧＷ）１６に接続する。ＡＰ１１とＡＰ−ＧＷ１６との間のインタフェースは、Ｉｕｈインタフェース２０として知られており、すなわち、３ＧＰＰリリース８について第三世代パートナシッププロジェクト（３ＧＰＰ）の中で標準化されている。Ｉｕｈインタフェース２０は、例えば、ＩＰネットワーク経由のＩＰベースの接続によって形成されてもよい。Ｉｕｈインタフェース２０は、Ｉｕインタフェース２２に似ているが、ＡＰ１１とＡＰ−ＧＷ１６との間で更なる情報を伝達するように修正されていて、そして主に、例えば、通信ネットワーク内のマクロＲＢＳ１３の数と比べて非常に多数のＡＰ１１の処理について最適化され、プロトコルのより効率的な転送と、ＡＰ−ＧＷ１６の一層最適化された実装とを可能にする。Ｉｕｈインタフェース２０は、新たな手順、例えば、ＡＰ−ＧＷ  Ｄｉｓｃｏｖｅｒｙ（ディスカバリ）、ＡＰ−ＧＷ１６へのＡＰ登録、ＡＰ−ＧＷ１６へのＵＥ登録を含んでもよい。場合によっては、ＩＰベースの送信は、固定ブロードバンドアクセス（例えば、ｘＤＳＬ、ケーブル等）を利用してＡＰ１１をＡＰ−ＧＷ１６に接続する。
【００８２】
別の場合、ワイヤレスブロードバンドアクセス（例えば、ＷｉＭＡＸ）の変形が、ＡＰ１１とＡＰ−ＧＷ１６との間に利用されてもよい。次いでＡＰ−ＧＷ１６が、Ｉｕインタフェース２２を利用してコアネットワーク（ＣＮ）１７に接続されてもよい。ＣＮ１７は、例えば、ＣＳドメインでは移動通信交換局（Ｍｏｂｉｌｅ  Ｓｗｉｔｃｈｉｎｇ  Ｃｅｎｔｅｒ：ＭＳＣ）を、そして、在圏ＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）をすなわちＰＳドメインに備えてもよい。マクロＲＢＳ１３は、Ｉｕｂインタフェース２３を利用するマクロＲＮＣ１８に接続することができ、マクロＲＮＣ１８は、Ｉｕインタフェース２２を利用するＣＮ１７に接続する。
【００８３】
通信ネットワークの様々な部分で許容される影響に依存して、フェムトセル１２を備える通信ネットワーク内でＡＣＭＭを実行する可能性がある。例えば、一例をあげると、ＵＥ１５もＣＮ１７もいずれも修正されることが許容されない場合である。このシナリオは、当初の展開に関して最も可能性が高いものであり、従って、任意のＵＥ１５またはＣＮ１７の機能性にも影響を与えることなくＡＣＭＭ機能性の部分（例えば、アクセス制御の実行等）をＲＡＮの中に（すなわち、ＡＰ１１の中またはＡＰ−ＧＷ１６の中に）導入する必要があると想定することができ、これをＲＡＮベースのＡＣＭＭと呼ばれる。もう１つの状況は、すなわち３ＧＰＰ規格（そしてＡＰ１１の展開）では、クローズド加入者グループ（Ｃｌｏｓｅｄ  Ｓｕｂｓｃｒｉｂｅｒ  Ｇｒｏｕｐ：ＣＳＧ）として知られる概念が用いられている場合である。ＣＳＧの場合、特定のＡＰ１１を一定のＵＥ１５に関連付けることができるが、それは、このような関連のＵＥ１５だけが、ＡＰ１１にアクセスすることを許されることを意味する。実際にはＣＳＧは、ＵＥ１５というよりむしろ加入者のグループに関連付けられる。ここでは、説明を簡単にするため、用語「ＵＥ１５」は、多くの場合、ＣＳＧが形成されているエンティティとして使用される。許されたＣＳＧ  アイデンティティ（ＣＳＧ−ＩＤ）は、いわゆるＣＳＧホワイトリストとしてＵＥ１５の中に記憶される。ＡＰ１１はそれぞれ、システム情報（Ｓｙｓｔｅｍ  Ｉｎｆｏｒｍａｔｉｏｎ：ＳＩ）の中で「ＣＳＧインジケータ」（すなわちブーリアンタイプのインジケータ）と、それに割り当てられたＣＳＧ−ＩＤとを両方ともブロードキャストする。これは、ＵＥ１５が（ＳＩからＣＳＧ−ＩＤを読み取って、これをＣＳＧホワイトリストの内容と比較することによって）それが特定のＡＰ１１にアクセスすることが許されているかどうかを判定できることを意味する。また、例えば、ＵＥ１５が期限切れのＣＳＧホワイトリストを有する場合に備えて、ＣＮが究極のＡＣＭＭを実行することができるようにするため、ＵＥについて許されたＣＳＧ（Ｃｌｏｓｅｄ  Ｓｕｂｓｃｒｉｂｅｒ  Ｇｒｏｕｐ）は、ＣＮ１７の中にも記憶される。この変形例は、ＣＮベースのＡＣＭＭと呼ばれる。ここで、このＡＣＭＭへの手法は単独では、ＵＥ１５が協力的である場合にセキュアに機能するに過ぎないことに留意されたい。すなわち、ＣＳＧホワイトリスト化は、「悪意のある」ＵＥ１５がＡＰ１１へのアクセスを試行することを妨げない。また、関連付けを作成するという問題は、セキュアでかつ効率的な方法で扱われる必要がある。
【００８４】
ＲＡＮベースのＡＣＭＭを実装する１つの方法は、ＲＡＮにアクセス制御データベース（ＡＣＤＢ：Ａｃｃｅｓｓ  Ｃｏｎｔｒｏｌ  Ｄａｔａｂａｓｅ）を導入することである。ＡＣＤＢ１９は、ＡＰ１１に関する情報と、各ＡＰ１１によって提供されるフェムトセル１２にどのＵＥ１５がアクセスを許可されているかについての情報とＡＰ１１に関する情報とを記憶する。ＡＰ−ＧＷ１６は、自身がＡＣＭＭまたはその一部を実行できるように、ＡＣＤＢ１９から情報を検索することができる。ＵＥ１５はそれぞれ、その国際移動体加入者アイデンティティ（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）によってまたは何らかの他の恒久的移動アイデンティティによって識別することができる。ＡＰ１１はそれぞれ、例えば、事前に構成設定されるＡＰアイデンティティ（ＡＰ−ＩＤ）を使用して、識別される。ＡＣＤＢ１９は、図１ではスタンドアロンユニットとして示している。しかしながら、別の使用事例では、それは、ＡＰ−ＧＷ１６またはその代わりにＡＰ１１に組み込むことができる機能性エンティティである。すなわち３ＧＰＰに従うと、これは、ＡＰ−ＧＷ１６はＡＣＭＭを実行しなければならず、従って、ＡＣＤＢ１９にアクセスすることを意味する。しかしながら、ＡＰ１１がＡＣＭＭを実行することも許容されており、このため、ＡＣＤＢ１９は、ＡＰ１１からもアクセスされる必要がある場合がある。
【００８５】
選択的には、例えば、ＣＮ１７においてホームロケーションレジスタ（ＨＬＲ：Ｈｏｍｅ  Ｌｏｃａｔｉｏｎ  Ｒｅｇｉｓｔｅｒ）／ホーム加入者サーバ（ＨＳＳ：Ｈｏｍｅ  Ｓｕｂｓｃｒｉｂｅｒ  Ｓｅｒｖｅｒ）ノード（図１には不図示）の中で各ＵＥ１５についてＣＳＧホワイトリストを定義することによって、ＣＮベースのＡＣＭＭを実装することができる。この場合、他のＣＮ１７ノードは、ＭＳＣおよびＳＧＳＮのように、ＨＬＲ／ＨＳＳからＵＥ１５が接続しているＣＳＮノード（群）にダウンロードされる加入者プロファイルの一部としてＵＥ１５についてのＣＳＧホワイトリスト情報を受信することになる。
【００８６】
本発明は、ＡＣＭＭという態様を扱うものであり、それはＡＰ１１の概念をユーザに受け入れてもらうために重要である。ＡＰ１１によってサービスが提供されるフェムトセル１２を使用してローカルなセルラー通信範囲を高める場合、例えば、家庭やスモールオフィスやホームオフィス（ＳＯＨＯ）環境では、家庭または企業に属するＵＥ１５だけが、ＡＰ１１によって提供されるフェムトセル１２へのアクセスを許されるべきである。ユーザ／加入者またはＳＯＨＯは、ＡＰ１１を購入していてもよいし、あるいはＡＰ−ＧＷ１６およびＣＮ１７に向かう送信について料金を支払っていてもよい。ＡＰ１１は、限られた数のユーザと彼らのＵＥだけにサービスを提供することができ、従って、許可されたユーザは、許可されていないユーザが利用可能な帯域幅を使用したり、ＡＰ１１に関連する許可ユーザの最大数を超えたりしているために、品質の低下を経験することもないし、アクセスを拒否されることもないことが重要である。
【００８７】
本発明の一実施形態によるＡＣＭＭについての基礎としてＵＥ１５とＡＰ１１との間の関連付けを作成するプロセスは、無線およびＣＮ接続プロセスの組み合わせ（ｃｏｍｂｉｎｅｄ  ｒａｄｉｏ  ａｎｄ  ＣＮ：ＣＲＣＮ）プロセスを使用して開始することができる。図２は、ＵＥ１５とＣＮ１７との間のＣＲＣＮ接続手順についての一実施形態を図示している。しかしながら、この接続手順は、さまざまな方法で行うことができる。図２では、ＵＥ１５が、マクロＲＢＳ１３によって提供されるマクロセル１４を介して通信ネットワークにアクセスする。別の実施形態では、ＵＥ１５がＡＰ１１によって提供されるフェムトセル１２を介して通信ネットワークにアクセスした場合に同様のステップが実行されるであろう。従って、ＡＣＭＭの一部としての関連付けの作成が、フェムトセル１２を介して行われてもよい。ＣＲＣＮ接続プロセスは、ＵＥ１５、マクロ−ＲＢＳ１３、マクロＲＮＣ１８およびＣＮ１７という諸ノードを使用してもよい。また、関連付けプロセスは、例えば、固定ＰＳＴＮに接続しているＵＥ１５から行われてもよい。
【００８８】
関連付けについての手順の前のステップは、関連付けプロセスがマクロＲＢＳ１３またはＡＰ１１を介して実行されるかどうかを判定する際の重要な要素である。ＵＥ１５が、最初にフェムトセル１２にアクセスしようとし、そして、ＲＡＮベースまたはＣＮ１７ベースのＡＣＭＭかのいずれか一方を使用して拒否された場合には、結果としての動作は、ＵＥ１５がアクセスを許されなかったＡＰ１１の位置にアクセス可能なマクロセル１４が存在するかどうかに依存する。そのようなマクロセル１４が存在する場合、ＵＥ１５は、それらのマクロセル１４上に滞在するであろうし、関連付けに対する手順は、そのマクロセル１４にサービスを提供するマクロＲＢＳ１３を介して実行される。他方、そのようなマクロセル１４が存在しない場合、ＵＥ１５は、限られたサービス状態でフェムトセル１２に滞在するであろうし、この場合、関連付けプロセスはＡＰ１１を介して実行されることになる。この場合の関連付けプロセスの扱いは、緊急呼の扱いと同様であり、すなわち、通信ネットワークは、ＵＥ１５に関連付けについての手順を実行することを、緊急呼が許可されるのと同じ方法で許可することになる。
【００８９】
従って、マクロセル１４を使用するＣＲＣＮ接続プロセスに対するステップをここで詳細に記述する。第１のステップ２２１では、ＵＥ１５が当初、マクロセル１４に滞在している。セル、すなわちマクロセル１４に滞在しているということは、ＵＥ１５が特定のセルを選択していること、すなわち、ＵＥ１５がセル選択／再選択プロセスを実行していることを意味する。また、滞在するということは、ＵＥ１５がアイドルモードであること、すなわち、ＣＳ呼もＰＳ動作もないことを意味する。さらに、ＵＥ１５は、例えば、マクロセル１４の中でブロードキャストされる、システム情報を読み取ることができ、呼またはＰＳセッションを確立することができ、ページングのシグナリングを受信することもできる。第２のステップ２２２では、エンドユーザがＵＥ１５発の呼をトリガする。第３のステップ２２３で、ＵＥ１５のＲＲＣレイヤが、ＲＲＣ  ＣＯＮＮＥＣＴＩＯＮ  ＲＥＱＵＥＳＴ（ＲＲＣ接続リクエスト）メッセージを（マクロＲＢＳ１３を介して）ランダムアクセスチャネル（ＲＡＣＨ：Ｒａｎｄｏｍ  Ａｃｃｅｓｓ  Ｃｈａｎｎｅｌ）でマクロ−ＲＮＣ１８へ送信することによって、ＲＲＣ接続確立をトリガする。ＲＲＣ接続は、３ＧＰＰ  ＴＳ２５．３３１に定義される既存の原則を使用して、さらに確立される。第４のステップ２２４で、ＵＥ１５とマクロＲＮＣ１８との間で一旦ＲＲＣ接続の確立が首尾よく確立すると、ＵＥ１５は、ＣＭ  ＳＥＲＶＩＣＥ  ＲＥＱＵＥＳＴ（ＣＭサービスリクエスト）メッセージをマクロＲＮＣ１８を介してＣＮ１７に送信する。第５のステップ２２５で、マクロＲＮＣ１８が、ＣＮ１７に向かってＩｕシグナリング接続の確立をトリガする。第６のステップ２２６で、マクロＲＮＣ１８が、ＩＮＩＴＩＡＬ  ＵＥ  ＭＥＳＳＥＡＧＥ（初期ＵＥメッセージ）をＣＮ１７に送信する。このメッセージには、ＣＭ  ＳＥＲＶＩＣＥ  ＲＥＱＵＥＳＴおよびその他の情報が含まれる。Ｉｕシグナリング接続が、例えば、３ＧＰＰ  ＴＳ  ２５．４１３仕様書に定義される既存の原則を使用して確立されてもよい。第７のステップ２２７で、ＣＮ１７は、例えば、ＵＥ１５に対する識別および／または認証のような、オプションのＭＭ（Ｍｏｂｉｌｉｔｙ  Ｍａｎａｇｅｍｅｎｔ：移動性管理）手順をトリガしてもよい。第８のステップ２２８で、ＣＮ１７は、Ｉｕインタフェース２２におけるＳｅｃｕｒｉｔｙ  Ｍｏｄｅ（セキュリティモード）コマンド手順をトリガする。第９のステップ２２９で、これがＲＲＣプロトコルＳＥＣＵＲＩＴＹ  ＭＯＤＥ  ＣＯＭＭＡＮＤ（セキュリティモードコマンド）メッセージのＵＥ１５への送信をトリガする。第１０のステップ２３０で、ＵＥ１５が、ＲＲＣプロトコルＳＥＣＵＲＩＴＹ  ＭＯＤＥ  ＣＯＭＰＬＥＴＥ（セキュリティモード完了）メッセージを使用して応答する。これが、第１１のステップ２３１でのＩｕインタフェース２２におけるＳＥＣＵＲＩＴＹ  ＭＯＤＥ  ＣＯＭＰＬＥＴＥメッセージの送信をトリガする。第１２のステップ２３２で、ＵＥ１５とＣＮ１７とが、呼制御（ＣＣ：Ｃａｌｌ  Ｃｏｎｔｒｏｌ）レベルでの移動機発の呼の確立のシグナリングを実行する。ＣＲＣＮ接続プロセスがこれで完了する。
【００９０】
ＣＲＣＮ接続プロセスが完了すると、ＵＥ１５とＡＰ１１との間の関連付けについて図３ａに従ってＡＣＭＭを実行することができる。ＡＣＭＭを実装できるまでは、ＵＥ１５が未許可のフェムトセル１２の中に制限されたサービス状態で滞在している場合、例えば、緊急呼（例えば、９１１）および／またはオペレータへの呼だけが許可される。関連付けについての手順が完了して初めて、フェムトセル１２を介してＣＳおよび／またはＰＳ呼／接続を確立することができる。図３ａは、ＵＥ１５が許可済のマクロセル１４の中に通常のサービス状態で滞在していて、関連付けプロセスがマクロＲＢＳ１３を介して実行される場合を示している。
【００９１】
図３ａでは、ＵＥ１５とＡＰ１１との間の関連付けの作成についての一実施形態に関するシグナリング図３００ａを示している。また、ここで図示するステップは、後述の中で提示する実施形態を明確にしてそれへのサポートを提供するためにも使用されるであろう。第１のステップ２００では、ＣＲＣＮ接続プロセスが、すなわちすでに上記で説明した手順に従って、実行される。
【００９２】
ＡＰ１１および／またはＡＰ加入は、例えば、ＡＮを使用してリンクされる。上述したように、ＡＮは典型的には電話番号であってもよいが、登録サーバにどのようにして到達するかという何らかの他のアドレス情報、例えば、ＩＰアドレス、ＵＲＬ等であってもよいだろう。ＡＰ１１が、例えば、ＷＣＤＭＡ  ＡＰ／フェムト無線基地局である場合、関連付けがＡＰ１１自身を介してセットアップされる場合に従来の電話番号を使用することには何らかの利点がありうる。特に、二次的接続手順およびリソース割当（例えば、ＧＰＲＳ接続性について）は必要ないであろう。ただし、関連付けがマクロＲＢＳ１３（または何らかの他の通信ネットワークノード）を介して実行される場合には、ＲＳ２１に「アドレス指定する」ものはほとんどいかなる形であっても許されるであろう。いずれにしても、ＡＮはＵＥ（またはそのユーザ）に知られており、通信ネットワーク／ＣＮ１７および／またはＡＰ１１の中に事前登録されていてもよい。別の実施形態では、ＡＮは、ＡＰ１１をＣＮ１７に認証するために使用される（Ｕ）ＳＩＭカードのＩＭＳＩに対応する移動体加入者ＩＳＤＮ番号（ＭＳＩＳＤＮ：Ｍｏｂｉｌｅ  Ｓｕｂｓｃｒｉｂｅｒ  ＩＳＤＮ  Ｎｕｍｂｅｒ）エントリであってもよい。第２のステップ３１４ａ−ｃでは、ＵＥ１５は、マクロＲＢＳ１３を通してＡＮにダイヤルし、そこで、ＣＮ１７を介してコンタクト手段１５７ｂおよび送信手段１５７ｃをそれぞれコンタクトリクエストおよび関連付けリクエストをＲＳ２１に送信する目的で使用して、呼がＲＳ２１に対して発信される。ＲＳ２１は、関連付けリクエストを受信することができる受信手段２１ｃを有する。ＲＳ２１は、発呼側ユーザアイデンティティ（例えば、そのＭＳＩＳＤＮ）番号に基づいてＵＥ１５を識別し、または、ＵＥ１５によって使用されるＡＮも見つける。この情報は、どのＵＥ１５がコンタクトおよび関連付けリクエストを実行しており、どのＡＰ１１を使用することを目指しているのかをＲＳ２１が識別するために十分である。代替実施形態では、コンタクトリクエストと関連付けリクエストとが、別個に、ＡＰ１１とＣＮ１７とを介してＲＳ２１に送信されてもよい。
【００９３】
第３のステップ３１５ａ−ｃでは、ＲＳ２１が、許可情報リクエストをマクロＲＢＳ１３およびＣＮ１７を通してＵＥ１５に送信する。第４のステップ３１６ａ−ｃでは、提供手段１５７ｄを使用してＵＥ１５が許可情報にリプライし、それをマクロＲＢＳ１３およびＣＮ１７を介してＲＳ２１に送信する。許可情報が正しく検証される場合、ＲＳ２１は、許可手段２１ｄを使用して、そのＲＳデータベース２１ａの中の関連付けをＵＥ１５の識別子（例えば、ＭＳＩＳＤＮおよびＩＭＳＩ値）とＡＰ１１のアイデンティティ（すなわち、例えば、ＡＮに基づくＡＰ−ＩＤ）とを両方使用して更新し、それによって、登録手段２１ｅを使用してＵＥ１５とＡＰ１１との間の関連付けの登録が実行される。ここで、この時点では関連付けは、ＲＳデータベース２１ａの中に登録されるが、ＡＰ１１によって必ずしも知られていないことに留意されたい。第５のステップ３１７ｃでは、ＲＳ２１は、通知手段２１ｇを使用して、関連付けの確認／結果コードを、すなわち「ＯＫ」または「非ＯＫ」メッセージとして、ＵＥ１５に送信してもよい。ＵＥ１５は、許可が成功した場合に登録確認を受信するための確認手段１５７ｅを有する。また、ＲＳデータベース２１ａの中の関連付けも、ネットワーク内で使用されるのがＲＡＮベースのＡＣＭＭあるいはＣＮベースのＡＣＭＭかに依存して、必要とされる関連するノードに転送される。例えば、ＣＮベースのＡＣＭＭが使用される場合、関連付けの詳細がＨＳＳ／ＨＬＲに転送されてＵＥ１５の加入プロファイルの一部としてその中に含まれ、そうすることで、必要とされる他のコアネットワークノードに向かってそれをプッシュすることができる。ＲＡＮベースのＡＣＭＭが使用される場合には、関連付けの詳細がＲＡＮの中の関連ノード、例えば、ＡＰ１１自身および／またはＡＰ−ＧＷ１６またはＡＣＤＢ１９に転送される。（以下で詳述するように）ＡＰ１１と他のＵＥ１５との間の関連付けをＵＥ１５がさらに作成できるようにする目的だけで関連付けが作成される場合には、関連付けの詳細をＲＳ２１自身以外に転送する必要はないことがある。すなわち、ＲＳ２１は、ＡＰ１１とＵＥ１５との間の関連付けの作成を、ＲＳ２１自身が後で使用することだけを目的として記録する。上記のステップは、関連付け手順の中でマクロＲＢＳ１３の使用について記載しているが、関連付け手順についてＡＰ１１を使用する場合でも、手順は同様に有効であり、その唯一の違いは、ＣＮ／ＲＡＮがＵＥ１５（関連付けの前）を制限されたサービス状態にあるとみなすことであり、そうすることで、ＡＮに対する呼および／または緊急呼だけが可能であることである。
【００９４】
図３ｂでは、第２のＵＥ１５ｂとＡＰ１１との間の第２の関連付けの作成についての一実施形態についてのシグナリング図３００ｂを示している。この第２の関連付けは、以前の実施形態によってＡＰ１１とすでに関連付けられている、第１のＵＥ１５ａによって支援される。第１のステップ２００では、上記で第１のＵＥ１５ａによってすでに説明した手順に従って、ＣＲＣＮ接続プロセスが行われてもよい。第２のステップ１３８ａ−ｃでは、関連の第１のＵＥ１５ａが、第２のＡＮにダイヤルし、そして、コンタクト手段１５７ｂを使用して第２のコンタクトリクエストをＲＳ２１に送信する。ＲＳ２１は、典型的には最初に自身のデータベース２１ａを調べて、第１のＵＥ１５ａがすでにＡＰ１１に関連付けられていることを検証する。ＲＳ２１は、第２のコンタクトリクエストに応答するための応答手段２１ｆを有する。第３のステップ１３９ａ−ｃでは、ＲＳ２１が、関連の第１のＵＥ１５ａに対して、どの第２のＵＥ１５をＡＰ１１と関連付ける必要があるのかに関する関連付け詳細リクエストを使用して返信する。第４のステップ１４０ａ−ｃでは、関連の第１のＵＥ１５ａが、送信手段１５７ｃを使用して、第２のＵＥ１５ｂの詳細（例えば、第２のＵＥ１５ｂについての識別子）を持つ第２の関連付けリクエストをＲＳ２１に送信する。ＲＳ２１は、第２の関連付けリクエストを受信するための受信手段２１ｃを有する。第５のステップ１４１ａ−ｃでは、ＲＳ２１が、第２の許可情報に対するリクエストを関連の第１のＵＥ１５ａに送信する。第６のステップ１４２ａ−ｃでは、関連の第１のＵＥ１５ａが、提供手段１５７ｄを使用して、第２の許可情報をＲＳ２１に送信する。第２の関連付けが、処理され、そして、許可が成功した場合、許可手段２１ｄと登録手段２１ｅとをそれぞれ使用して、ＲＳ２１の中に登録される。第７のステップ１４３ａ−ｃでは、ＲＳ２１が、通知手段２１ｇを使用して、第２のＵＥ１５ｂについて第２の関連付けが完了していることを関連の第１のＵＥに通知する。オプションの第８のステップ１４４ａ−ｄでは、ＲＡ２１が、通知手段２１ｇを使用して、第２のＵＥ１５ｂがここではＡＰ１１に関連付けられており、また、ここでは関連の第２のＵＥ１５ｂであることを、第２のＵＥ１５ｂに通知する。関連の第１のユーザ装置および第２のユーザ装置の少なくとも一方は、第２の許可が成功した場合に第２の登録確認を受信するための確認手段１５７ａを有する。
【００９５】
図４は、第１のＵＥ１５ａを少なくとも１つのＡＰ１１に関連付けるための、ＲＳ２１によって実行される手順のステップ４００について記載する。第１のＵＥ１５ａの関連付けの手順は、さらに、第１のＵＥ１５ａとＲＳ２１との間に通信を提供するための通信デバイスを備える通信ネットワークを含んでいる。通信デバイスは、図１に示すＡＰ１１またはマクロＲＢＳ１３かいずれか一方であってもよく、後で記述の中で述べる異なる実施形態において、二者択一的に用いられてもよい。
【００９６】
手順４００では、ＲＳ２１が、第１のＵＥ１５ａのＡＰ１１との関連付けについて以下のステップを実行する。第１のステップ４１０では、第１のＵＥ１５ａによって提供される、ＡＰ１１についての第１のＡＮを使用して実行される第１のコンタクトリクエストに、ＲＳ２１が応答する。ここで、第１のＡＮは、ＡＰ１１にとって特定／一意であってもよい。第２のステップ４２０で、第１のＵＥ１５ａによって提供される、ＡＰ１１との関連付けに対する第１の関連付けリクエストを、ＲＳ２１が受信する。第１のコンタクトリクエストも第１の関連付けリクエストもいずれも、図３の第１のステップ３１４ａ−ｃに従って送信することができ、すなわち、ＲＳ２１が、そのようなリクエストをＡＰ１１およびＣＮ１７を介して第１のＵＥ１５ａから受信する。代替の実施形態では、第１のコンタクトリクエストおよび第１の関連付けリクエストが、図３の第１のステップ３１４を繰り返すことによって、別々にＲＳ２１に送信されてもよい。別の実施形態では、ＲＳ２１が、許可情報に対するリクエストを実行する。第３のステップ４３０で、ＲＳ２１は、第１のＵＥ１５ａによって提供された第１の許可情報に基づいて第１の関連付けリクエストを許可する。第１の許可情報は、異なる実施形態によって例示されてもよく、それについては後述する。第４のステップ４４０で、第１の許可が成功した場合、ＲＳ２１が、第１のＵＥ１５ａとＡＰ１１との間の関連付けを登録する。第１のＵＥ１５ａは、ここではＡＰ１１に関連付けられた関連の第１のＵＥ１５ａとなり、この場合、関連付けは、ＲＳ２１によって管理される。この場合もやはり、この時点で関連付けがＲＳ２１に登録されているが、ＡＰ１１はまだそれを知らないということに留意されたい。
【００９７】
手順４００の別の実施形態では、ＲＳ２１が、第１の許可が成功した場合、すなわち図３のステップ３１７ａ−ｃと同様に、第１の登録確認を使用して、関連の第１のＵＥ１５ａに通知する。ここでは、関連の第１のＵＥ１５ａが、図１の通信ネットワークを利用してＡＰ１１を通してＣＳ呼またはＰＳセッションを実行することができる。
【００９８】
手順４００および３００ｂの別の実施形態では、ＲＳ２１の中に、関連の第１のＵＥ１５ａによって支援される、第２のＵＥ１５ｂとＡＰ１１との間に第２の関連付けを作成するための機能性が存在する。ここで第１のＵＥ１５ａは、第２のＵＥ１５ｂのＡＰ１１への関連付けを支援することになるマスタＵＥとして機能する。図４ａは、第２のＵＥ１５ｂの第２の関連付けについてのＡＣＭＭのための手順４００ａを示している。手順４００ａはさらに、ＲＳ２１が以下のステップを実行することを含んでいる。第１のステップＤ１で、ＲＳ２１は、関連の第１のＵＥ１５ａによって、すなわちステップ１３９ａ−ｃによって提供される、ＡＰ１１についての第２のＡＮを使用して実行される第２のコンタクトリクエストに応答する。ここで第２のＡＮは、第１のＡＮと同一であってもよい。別の実施形態では、第２のＡＮは、第１のＡＮと異なっていてもよい。ＡＮに関する一部の代替の実施形態については、後の記述の中で述べる。第２のステップＤ２で、ＲＳ２１は、関連の第１のＵＥ１５ａによって、すなわち手順３００ｂでステップ１４０ａ−ｃによって提供される、第２のＵＥ１５ｂの識別情報を持つ第２の関連付けリクエストを受信する。第３のステップＤ３で、ＲＳ２１は、第２のＵＥ１５ｂに関して第１のＵＥ１５ａによって提供される第２の許可情報に基づいて、第２の関連付けリクエストを許可する。一実施形態では、第２の許可情報は、第１の許可情報と同一であってもよい。第４のステップＤ４で、ＲＳ２１は、第２の許可が成功した場合、第２のＵＥ１５ｂとＡＰ１１との間の第２の関連付けを登録する。第２のＵＥ１５ｂは、ここではＡＰ１１に関連付けられた関連の第２のＵＥ１５ｂとなり、第２の関連付けは、ＲＳ２１によって管理される。
【００９９】
手順４００ａの別の実施形態では、第２の許可が成功した場合、ＲＳ２１は、関連の第１および／または第２のＵＥ１５ａおよびｂにそれぞれ第２の登録確認を使用して通知する。関連の第２のＵＥ１５ｂは、ここでは、すなわち図１の通信ネットワークを利用してＡＰ１１を通してＣＳ呼またはＰＳセッションを実行してもよい。同様に、上記のＡＣＭＭにおいて、関連の第１のＵＥ１５ａは、他のＵＥ１５をＡＰ１１に関連付けるために支援してもよい。
【０１００】
一実施形態では、第１の関連付けおよび第２の関連付けの少なくとも一方が、第１および／または第２のＵＥ１５ａ／ｂに、第２および／または第３のＵＥ  ｂ／ｃと少なくとも１つのＡＰ１１との間のさらなる関連付けを作成する権利を与えてもよい。
【０１０１】
別の実施形態では、第２のＵＥ１５ｂも、ＡＰ１１に関連付けられた第２のマスタＵＥとしてＲＳ２１に登録され、それからは、直前に述べた第１のＵＥ１５ａと同様に、第３、第４等のＵＥ１５ｃ−ｎのためにさらなる関連付けを実行することができる。しかしながら、別の実施形態では、第２のＵＥはマスタＵＥ１５として登録されない。
【０１０２】
実施形態４００／４００ａの別の実施形態では、第１の関連付けおよび第２の関連付けの少なくとも一方が、所定の時間期間または所定のサービス量について有効であってもよい。所定の時間期間は、加入、ＵＥ１５ユーザ、ベンダ、サプライヤ、または定義されるオペレータの基準にとって間接的なものである。所定のサービス量は、転送されるデータ、呼の数等の量で表現されてもよい。通信ネットワークは一般に、ＡＰ１１を介して実行される接続と外部マクロネットワークを介して実行される接続とを区別して、アカウンティングに基づく差別化された課金を提供することができるであろうから、アカウンティング機能（図示せず）を利用してサービス量閾値に達した時を判定することができるであろう。
【０１０３】
手順４００／４００ａの別の実施形態では、通信ネットワークは、ＡＰ１１を使用して第１および／または第２のＵＥ１５とＲＳ２１との間の通信を提供してもよい。これは、ＡＣＭＭがＡＰ１１によって完全にまたは部分的に扱われる時である。ＵＥ１５（すなわち第１および／または第２のＵＥ）とＡＰ１１との間の関連付けが完了するまでは、ＡＰ１１を介して通信ネットワークを通して呼／通信を実行することはできない。しかしながら、ＡＰ１１は、ＡＮの使用に基づいてＵＥ１５とＣＮ１７／ＲＳ２１との間で通信を提供することができる。
【０１０４】
手順４００／４００ａの別の実施形態では、前記通信ネットワークは、マクロＲＢＳ１３を使用してＵＥ１５（すなわち第１および／または第２のＵＥ１５）とＲＳ２１との間の通信を提供してもよい。この実施形態では、本発明は、（ＣＮ１７への接続を提供する）外部マクロネットワークを使用し、ここで、ＡＣＭＭについての関連付けの作成の間の通信についてマクロＲＢＳ１３を使用する。
【０１０５】
手順４００／４００ａの別の実施形態では、第１の許可情報および第２の許可情報の少なくとも一方は、ＲＳ２１が外部マクロネットワークを介して受信しうる第１のショートメッセージサービスおよび第２のショートメッセージサービスの少なくとも一方（ＳＭＳ）の形式であってもよい。
【０１０６】
第１のＵＥ１５ａは、第１の許可情報を、本明細書で後述するベンダ、サプライヤ、またはオペレータ、またはＳＭＳサービス機能から受信してもよい。第１の許可情報は、第１のＵＥ１５ａによって第１のＳＭＳを使用してＲＳ２１に送信されてもよい。また、第２の許可情報も、ＳＭＳサービス機能の形式で第２のＵＥ１５ｂによって受信することもできる。第２の許可情報は、外部マクロネットワークを使用して、関連の第１のＵＥ１５ａまたは第２のＵＥ１５ｂのいずれか一方によって、第２のＳＭＳとしてＲＳ２１に送信されてもよい。
【０１０７】
別の実施形態では、第１の許可情報および第２の許可情報の少なくとも一方は、アクセスキー情報を含んでもよい。アクセスキー情報は、秘密鍵、例えば、ＵＳＩＭ  ＡＫＡパラメータ、ワンタイムパスワード、またはＰＩＮコード等から導出される情報を含んでもよい。
【０１０８】
手順４００／４００ａの別の実施形態では、第１および／または第２のＡＮは、少なくとも２つのＡＰ１１について同一であってもよい。複数のＡＰ１１が存在する本実施形態では、同一のＡＮを有すること、すなわちＵＥ１５が２つの異なるＡＰ１１について、すなわち家庭と職場とで、同一の加入を使用することは有益でありうる。
【０１０９】
手順４００／４００ａの別の実施形態では、第１および／または第２のＵＥ１５（または図１の任意の他のＵＥ１５）が第１の許可情報および第２の許可情報の少なくとも一方を関連付け情報、例えば、ＡＰ１１に固有のＡＰ−ＩＤ、と一緒に、ＲＳ２１にそれぞれ提供することを特徴とする関連付けが実行される。複数のＡＰ１１についてＡＮが同一の値を有するため、ＲＳ２１でＡＣＭＭを実行して関連付けを作成している間、特に特定のＡＰ１１に関する許可情報が、ＡＰ１１を他と区別するために用いられてもよい。
【０１１０】
手順４００／４００ａの一実施形態では、第１の許可情報および第２の許可情報の少なくとも一方およびＡＰ−ＩＤが、ＡＰ  ＧＷ１６とＣＮ１７とを介してＲＳ２１によって受信されてもよい。手順４００／４００ａの別の実施形態では、第１の許可情報および第２の許可情報の少なくとも一方およびＡＰ−ＩＤが、外部マクロネットワークを介して、すなわち、マクロＲＢＳ１３とマクロＲＮＣ１８とＣＮ１７とを介して、ＲＳ２１によって受信されてもよい。本実施形態では、ＵＥ１５は、許可情報とＡＰ１１に固有のＡＰ−ＩＤとをＲＳ２１に転送する。ＲＳ２１は、第１の許可情報および第２の許可情報の少なくとも一方とＡＰ−ＩＤとを受信するための手段２１ｈを有する。
【０１１１】
手順４００／４００ａの別の実施形態では、第１のＵＥ１５ａとＡＰ１１とが、ＡＰ  ＧＷ１６とＣＮ１７とを介して結合されるＲＳ２１に接続されている。ここで、ＲＳ２１は、図４ｂに関連して以下で記述する手順のステップ４００ｂを実行する。第１のステップＳ１で、ＲＳ２１は、第１の応答手段２１ｉを使用して、第１のＵＥ１５ａからの第１の許可情報に応答している。第１の許可情報が、すでに説明した前の実施形態と同様に通信ネットワークを通してＲＳ２１によって受信される。第２のステップＳ２で、ＲＳ２１が、第２の応答手段２１ｋを使用して、ＡＰ１１からのＡＰ−ＩＤに応答している。ここで、ＡＰ１１は、ＡＰ−ＩＤをＡＰ  ＧＷ１６およびＣＮ１７を介して直接ＲＳ２１に送信する。
【０１１２】
手順４００ｂの別の実施形態では、ＲＳ２１は、第１の許可情報および第２の許可情報の少なくとも一方を外部マクロネットワークを介して受信してもよい。本実施形態には、ＵＥ１５（すなわち第１および／または第２のＵＥ１５ａ、ｂ）が外部マクロネットワークを介して第１の許可情報および第２の許可情報の少なくとも一方を、例えば、セキュアな通信の完全性を維持するために、すなわちＡＰ１１がＵＥ１５に関連付けられる前に、ＲＳ２１に送信することができるメカニズムが存在する。前述のように、ＵＥ１５がＳＭＳサービス機能を使用して、第１の許可情報および第２の許可情報の少なくとも一方をＲＳ２１に送信してもよい。
【０１１３】
手順４００／４００ａ／４００ｂの一実施形態では、ＲＳ２１が、ＡＰ１１との関連付けのためにＵＥ１５から受信される第１のコンタクトリストおよび第２のコンタクトリクエストの少なくとも一方と第１の関連付けリクエストおよび第２の関連付けリクエストの少なくとも一方とが有効であるかどうかを検証するための検証手段２１ｌを有する。そうでない場合、ＡＰ１１は、ＡＰ１１との第１の関連付けリクエストおよび第２の関連付けリクエストの少なくとも一方を拒否するための拒否手段２１ｍを有する。
【０１１４】
選択的には、ＲＳ２１の中に、図５に示されるように第１のＵＥ１５ａと少なくとも１つのＡＰ１１との間に関連付けを作成するためのプロビジョンがあり、ここで第１のＵＥ１５ａは、手順５００によるステップを実行する。第１のステップ５１０で、第１のＵＥ１５ａは、第１のＡＮを使用して実行されるＡＰ１１についての第１のコンタクトリクエストを使用してＲＳ２１にコンタクトする。第２のステップ５２０で、第１のＵＥ１５ａは、ＡＰ１１との関連付けに対する第１の関連付けリクエストをＲＳ２１に送信する。第３のステップ５３０で、第１のＵＥ１５ａが、ＲＳ２１による許可についての第１の許可情報を提供する。手順５００が完了した後、第１のＵＥ１５ａは、アクセスポイントに関連付けられた関連の第１のＵＥ１５ａとなり、ここで関連付けは、ＲＳ２１によって管理される。
【０１１５】
手順５００の一実施形態では、第１の許可が成功した場合、関連の第１のＵＥ１５ａは、第１の登録確認をＲＳ２１から受信してもよい。
【０１１６】
手順５００の別の実施形態では、ＲＳ２１の中に、関連の第１のＵＥ１５ａによって支援される、第２のＵＥ１５ｂとＡＰ１１との間の第２の関連付けを作成するためのプロビジョンが存在する。図５ａは、手順５００ａを示す図であり、ここで関連の第１のＵＥ１５ａは、以下のステップを実行する。第１のステップＴ１で、第１のＵＥ１５ａは、ＡＰ１１について第２のＡＮを使用して実行される第２のコンタクトリクエストを使用してＲＳ２１にコンタクトする。第２のステップＴ２で、第１のＵＥ１５ａは、第２の関連付けリクエストを第２のＵＥ１５ｂの識別情報と共に送信してもよい。第３のステップＴ３で、第１のＵＥが第２の関連付けリクエストを第２のＵＥ１５ｂに関する第２の許可情報に基づいて提供し、それによって第２のＵＥ１５ｂは、ＡＰ１１に関連付けられた関連の第２のＵＥ１５ｂとなり、この関連付けはＲＳ２１によって管理される。
【０１１７】
手順５００／５００ａの別の実施形態では、第２の許可が成功した場合、関連の第１および／または第２のＵＥ１５が、第２の登録確認を受信する。第２のＵＥ１５ｂが一旦関連付けられると、ＲＳ２１は、第２の登録確認を関連の第１および／または第２のＵＥ１５ａ／ｂに送信することができる。
【０１１８】
手順５００／５００ａの別の実施形態では、関連の第１のＵＥ１５ａが、ＳＭＳサービス機能からの第１の許可情報をＣＮ１７から取得してもよい。また、手順５００／５００ａの別の実施形態では、第２のＵＥ１５ｂが、ＳＭＳサービス機能からの第２の許可情報も、または、ＳＭＳサービス機能からの第２の許可情報を代わりに、ＣＮ１７から取得してもよい。
【０１１９】
手順５００／５００ａの別の実施形態では、前述のように、関連の第１のＵＥ１５ａまたは第２のＵＥ１５ｂが、第２の許可情報を第２のＳＭＳの形式で、外部マクロネットワークを介してＲＳ２１に送信してもよい。
【０１２０】
手順５００／５００ａの別の実施形態では、第１の許可情報および第２の許可情報の少なくとも一方が、アクセスキー情報を含んでもよい。一実施形態では、アクセスキー情報は、秘密／暗号化鍵（例えば、ＵＳＩＭ  ＡＫＡパラメータ）から導出されてもよい。手順５００／５００ａの別の実施形態では、アクセスキー情報は、ワンタイムパスワードまたはＰＩＮコードを含んでいるまたはそれらから導出されてもよい。
【０１２１】
手順５００／５００ａの別の実施形態では、関連付けによって、関連の第１および／または第２のＵＥ１５ａ、ｂがＣＳ呼サービスにアクセスできるようになってもよい。手順５００／５００ａの別の実施形態では、関連付けによって、関連の第１および／または第２のＵＥ１５ａ、ｂがＰＳドメインサービスにアクセスできるようになってもよい。
【０１２２】
選択的には、ＲＳ２１の中に、第１のＵＥ１５ａと少なくとも１つのＡＰ１１との間の関連付けを作成するためのプロビジョンが存在し、この場合、ＡＰ１１が手順６００を実行する。図６は手順６００を示し、ここでＡＰ１１が以下のステップを実行する。第１のステップ６１０で、ＡＰ１１が第１の手段１１７ｂを使用して、第１のＵＥ１５ａとＲＳ２１との間の、ＡＰ１１についての第１のＡＮを使用して実行される第１のコンタクトリクエストについての通信を提供している。第２のステップ６２０で、ＡＰ１１が、第２の手段１１７ｃを使用して、ＡＰ１１との関連付けに対する第１の関連付けリクエストを第１のＵＥ１５ａからＲＳ２１に転送している。第３のステップ６３０で、ＡＰ１１が、第３の手段１１７ｄを使用して、第１の許可情報をＲＳ２１に転送し、それによって第１のＵＥ１５ａは、ＡＰ１１に関連付けられた関連の第１のＵＥ１５ａとなり、この場合、関連付けはＲＳ２１によって管理される。
【０１２３】
手順６００の一実施形態では、許可が成功した場合、ＡＰ１１が、関連の第１のＵＥ１５ａに関連付けるための関連付け手段１１７ｅを有し、それはＲＳ２１によって管理される。
【０１２４】
手順６００の一実施形態では、ＡＰ１１が、ＡＰ１１との関連付けのためにＵＥ１５から受信される第１のコンタクトリストおよび第２のコンタクトリクエストの少なくとも一方ならびに第１の関連付けリクエストおよび第２の関連付けリクエストの少なくとも一方が有効であるかどうかを検証するための検証手段２１１を有する。そうでない場合、ＡＰ１１は、ＡＰ１１との第１の関連付けリクエストおよび第２の関連付けリクエストの少なくとも一方を拒否するための拒否手段２１ｍを有する。
【０１２５】
図７は、ＵＥ１５の一実施形態を非常に概略的に示す図である。ＵＥ１５は、グラフィック表示ボタンを提供するためにタッチセンシティブであってもよいディスプレイ１５１と、例えば、ボタンの形式の入力手段１５２と、ＤＳＰ（Ｄｉｇｉｔａｌ  Ｓｉｇｎａｌ  Ｐｒｏｃｅｓｓｏｒ：デジタル信号プロセッサ）と符号化モジュールおよび復号化モジュールとを備えても備えなくてもよいユーザ装置プロセッサ１５３と、通信ネットワーク内のユニットと通信するように構成される少なくとも１つのアンテナと増幅器とを備えたトランシーバユニットの形式の通信インタフェース１５４とを備える（図１を参照）。通信インタフェース１５４は、３ＧＰＰ  ＧＳＭ、ＷＣＤＭＡ、高度ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とのワイヤレス通信のために適合されるトランシーバを有してもよい。さらに、トランシーバ１５６は、ＩＥＥＥ８０２．１１および／またはＩＥＥＥ８０２．１５および／または８０２．１６等を介して通信のために適合されてもよい。また、ＵＥ６は、ワイヤレスローカルネットワーク内の通信用の通信インタフェース１５５を備えてもよい。
【０１２６】
さらにＵＥ１５は、例えば、電気的消去可能プログラマブルＲＯＭ（ＥＥＰＲＯＭ：Ｅｌｅｃｔｒｉｃａｌｌｙ  Ｅｒａｓａｂｌｅ  Ｐｒｏｇｒａｍｍａｂｌｅ  ＲＯＭ）／ＲＯＭ（Ｒｅａｄ−Ｏｎｌｙ  Ｍｅｍｏｒｙ）およびフラッシュメモリのような不揮発性メモリの形式のユーザ装置メモリの形式の、少なくとも１つのコンピュータプログラム製品１５７を備える。コンピュータプログラム製品１５７はコンピュータプログラム１５７ａを備え、コンピュータプログラム１５７ａは、ＵＥ１５上で実行された場合にＵＥ１５に前述の手順５００のステップを実行させるコード手段を備える。
【０１２７】
それゆえ、前述の例示的な実施形態では、ＵＥ１５のコンピュータプログラム１５７ａの中のコード手段は、コンピュータプログラムモジュールの中に構築されるコンピュータプログラムコードの形式で、コンタクト手段１５７ｂと、送信手段１５７ｃと、提供手段１５７ｄと、確認手段１５７ｅとを備える。
【０１２８】
上記で開示した実施形態におけるコード手段は、コンピュータプログラムモジュールとして実装されており、それらがＵＥ１５上で実行される場合にはＵＥ１５に、図２、３ａ、３ｂ、５、５ａに関連して後述するステップを実行させる。代替の実施形態では、コード手段のうちの少なくとも１つは、少なくとも部分的に、図７に示すようなハードウェア回路として実装されてもよい。このコード手段は、メモリ１５７の中に実装されてもよい。
【０１２９】
図８は、ＲＳ２１の一実施形態を非常に概略的に示す図である。ＲＳ２１は、例えば、ＤＳＰ（Ｄｉｇｉｔａｌ  Ｓｉｇｎａｌ  Ｐｒｏｃｅｓｓｏｒ）と符号化モジュールおよび復号化モジュールとを有する、処理ユニット２１３を備える。また、ＲＳ２１は、ＣＮ１７との通信用の通信インタフェース２１５も備える（図１を参照）。
【０１３０】
さらにＲＳ２１は、ＲＳデータベース２１ａの中に不揮発性メモリ、例えば、ＥＥＰＲＯＭおよびフラッシュメモリまたはディスクドライブの形式の、少なくとも１つのコンピュータプログラム製品を備える。コンピュータプログラム製品２１ａはコンピュータプログラム２１ｂを備え、コンピュータプログラム２１ｂは、ＲＳ２１上で実行される場合にはＲＳ２１に前述の手順４００のステップを実行させる、コード手段を備える。
【０１３１】
それゆえ、前述の例示的な実施形態では、ＲＳ２１のコンピュータプログラム２１ｂの中のコード手段は、コンピュータプログラムモジュールの中に構築されるコンピュータプログラムコードの形式で、コンタクト手段１５７ｂと、受信手段２１ｃと、許可手段２１ｄと、登録手段２１ｅと、応答手段２１ｆと、通知手段２１ｇと、手段２１ｈと、第１の応答手段２１ｉと、第２の応答手段２１ｋと、検証手段２１ｌと、拒否手段２１ｍとを備える。
【０１３２】
上記で開示した実施形態におけるコード手段は、コンピュータプログラムモジュールとして実装されており、それらがＲＳ２１上で実行される場合にはＲＳ２１に、図２、３ａ、３ｂ、４、４ａ、４ｂに関連して後述するステップを実行させる。代替の実施形態では、コード手段のうちの少なくとも１つは、少なくとも部分的に、図８に示すようなハードウェア回路として実装されてもよい。コード手段は、登録サーバデータベース２１ａの中に実装されてもよい。
【０１３３】
図９は、ＡＰ１１の一実施形態を非常に概略的に示す図である。ＡＰ１１は、例えば、ＤＳＰ（Ｄｉｇｉｔａｌ  Ｓｉｇｎａｌ  Ｐｒｏｃｅｓｓｏｒ）と符号化モジュールおよび復号化モジュールとを有する処理ユニット１１３と、通信ネットワーク内のユニットと通信するように構成された少なくとも１つのアンテナと増幅器とを備えるトランシーバユニットの形式の通信インタフェース１１４とを備える（図１を参照）。通信インタフェース１１４は、３ＧＰＰ  ＧＳＭ、ＷＣＤＭＡ、Ｅ−ＵＴＲＡＮとのワイヤレス通信のために適合されたトランシーバを有してもよい。さらに、トランシーバ１１６は、ＩＥＥＥ８０２．１１および／またはＩＥＥＥ８０２．１５および／または８０２．１６等を介する通信のために適合されてもよい。また、ＡＰ１１は、ワイヤレスローカルネットワーク内の通信用の通信インタフェース１１５を備えてもよい。ＡＰ１１の代替の実施形態では、ディスプレイ１１１と、例えば、ボタンの形式の入力手段１１２とがあってもよい。
【０１３４】
さらにＡＰ１１は、ＡＰメモリ１１７の中に不揮発性メモリ、例えば、ＥＥＰＲＯＭおよびフラッシュメモリまたはディスクドライブの形式で、少なくとも１つのコンピュータプログラム製品を備える。コンピュータプログラム製品１１７は、コンピュータプログラム１１７ａを備え、コンピュータプログラム１１７ａは、ＡＰ１１上で実行される場合にはＡＰ１１に前述の手順６００のステップを実行させる、コード手段を備える。
【０１３５】
それゆえ、前述の例示的な実施形態では、ＡＰ１１のコンピュータプログラム１１７ａの中のコード手段は、コンピュータプログラムモジュールの中で構造化されるコンピュータプログラムコードの形式で、第１の手段と、第２の手段と、第３の手段と、関連付け手段と、検証手段２１ｌと、拒否手段２１ｍとを含んでいる。
【０１３６】
上記で開示した実施形態におけるコード手段は、コンピュータプログラムモジュールとして実装されており、それらがＡＰ１１上で実行される場合にはＡＰ１１に、図２、３ａ、３ｂ、６に関連して後述するステップを実行させる。代替の実施形態では、コード手段のうちの少なくとも１つは、少なくとも部分的に、図９に示すようなハードウェア回路として実装されてもよい。コード手段は、アクセスポイントメモリ１１７の中に実装されてもよい。
【０１３７】
また、上記の記述を読んだ後、知識を有する当業者は、以下の記述の中で示すような他の実施形態を思いつくであろう。
【０１３８】
ＲＳ２１における、第２のＵＥ１５ｂと少なくとも１つのＡＰ１１との間の関連付けの作成は、第１のＵＥ１５ａによって支援され、ＡＮと許可情報とを使用して行われてもよい。これらのＡＰ１１へのアクセス権を管理する特権を有するという意味で、第１のＵＥ１５ａは、例えば、すでにＡＰ１１に関連付けられている。第１のＵＥ１５ａは、任意の方法によって、例えば、ＲＳ２１の手動の構成設定によって、ＡＰ１１に関連付けられていてもよい。
【０１３９】
ＲＳ２１には、第１のＵＥ１５ａによって支援され、第２のＵＥ１５ｂとＡＰ１１との間の関連付けを作成するための手段が存在する。方法および／または装置は、ＲＳ２１が以下のステップ、すなわち、
−第１のＵＥ１５ａとＲＳ２１との間の通信を提供する通信デバイスを使用してコンタクトリクエストが第１のＵＥ１５ａによって発せられる場合に、少なくとも１つのＡＰ１１についてのＡＮを使用して実行されるコンタクトリクエストに応答するステップと、
−第１のＵＥ１５ａによって提供される、第２のＵＥ１５ｂと少なくとも１つのＡＰ１１との関連付けのための第２のＵＥ１５ｂの識別情報を有する関連付けリクエストを受信するステップと、
−第２のＵＥ１５ｂに関する関連付けリクエストを、第１のＵＥ１５ａおよび／または第２のＵＥ１５ｂによって提供される許可情報に基づいて許可するステップと、
−許可が成功した場合、第２のＵＥ１５ｂと少なくとも１つのＡＰ１１との間の関連付けを登録するステップとを実行することを含んでもよく、それによって第２のＵＥ１５ｂは、少なくとも１つのＡＰ１１に関連付けられた関連の第２のＵＥ１５ｂとなり、この場合、関連付けはＲＳ２１によって管理される。
【０１４０】
通信デバイスは、第１および／または第２のＵＥ１５ａ／ｂとＲＳ２１との間の通信を提供するための少なくとも１つのＡＰ１１である。第１のＵＥ１５ａは、前記ＡＰ１１を使用してＲＳ２１への関連付けリクエストを通信してもよい。さらに、第１のＵＥ１５ａは、前記ＡＰ１１を使用するための制限された特権を与えられるまたはまったく与えられなくてもよく、例えば、緊急呼が提供されてもよい。
【図１】
0005216921.tif 000002
【図２】
0005216921.tif 000003
【図３ａ】
0005216921.tif 000004
【図３ｂ】
0005216921.tif 000005
【図４】
0005216921.tif 000006
【図４ａ】
0005216921.tif 000007
【図４ｂ】
0005216921.tif 000008
【図５】
0005216921.tif 000009
【図５ａ】
0005216921.tif 000010
【図６】
0005216921.tif 000011
【図７】
0005216921.tif 000012
【図８】
0005216921.tif 000013
【図９】
0005216921.tif 000014